(57)【要約】【課題】効率の良いランダムアクセスレスポンスメッセージの送受信を行うこと【解決手段】移動局装置は、ランダムアクセスの信号を送信するランダムアクセス送信部と、受信信号から当該移動局装置へのランダムアクセスレスポンス情報を抽出するランダムアクセスレスポンス抽出部と、ランダムアクセスレスポンス情報の送信終了を検出するランダムアクセスレスポンス終了検出部と、当該移動局装置へのランダムアクセスレスポンス情報を抽出しないうちに、送信終了を検出したときは、ランダムアクセス送信部に再送信を指示する再送処理部とを具備し、基地局装置は、ランダムアクセスの信号を検出するランダムアクセス検出部と、検出したランダムアクセスのランダムアクセスレスポンス情報と送信終了を判定可能な情報とを生成する制御データ作成部と、生成した前記情報を送信信号に配置する信号配置部とを具備することを特徴とする無線通信システム。【選択図】図５
2009081685.tif 000002
【特許請求の範囲】
【請求項１】
基地局装置と複数の移動局装置とを具備する無線通信システムにおいて、
前記移動局装置は、
前記基地局装置に対してランダムアクセスの信号を送信するランダムアクセス送信部と、
受信信号中のランダムアクセスレスポンス情報の中から、当該移動局装置が送信した前記ランダムアクセスの応答であるランダムアクセスレスポンス情報を検出して、抽出するランダムアクセスレスポンス抽出部と、
当該移動局装置が送信した前記ランダムアクセスに対する応答のランダムアクセスレスポンス情報の送信期間中におけるランダムアクセスレスポンス情報の送信終了を検出するランダムアクセスレスポンス終了検出部と、
当該移動局装置が送信した前記ランダムアクセスに対する応答のランダムアクセスレスポンス情報の送信期間中に、前記ランダムアクセスレスポンス抽出部が前記応答を検出しないうちに、前記ランダムアクセスレスポンス終了検出部が送信終了を検出したときは、前記ランダムアクセス送信部に対して前記ランダムアクセスの信号の再送信を指示する再送処理部と
を具備し、
前記基地局装置は、
受信信号からランダムアクセスの信号を検出するランダムアクセス検出部と、
検出した前記信号のランダムアクセスに対するランダムアクセスレスポンス情報と、該ランダムアクセスレスポンス情報を含むランダムアクセスレスポンス情報の送信期間中における複数のランダムアクセスレスポンス情報の送信終了を判定可能な情報とを生成する制御データ作成部と、
生成した前記ランダムアクセスレスポンス情報と前記送信終了を判定可能な情報とを送信信号に配置する信号配置部と
を具備することを特徴とする無線通信システム。
【請求項２】
前記送信終了を判定可能な情報は、前記送信期間中に、該情報とともにランダムアクセスレスポンス情報が配置されている信号領域より後の信号領域にランダムアクセスレスポンス情報が配置されるか否かを示すフラグであることを特徴とする請求項１に記載の無線通信システム。
【請求項３】
前記送信終了を判定可能な情報は、前記送信期間中に、該情報とともにランダムアクセスレスポンス情報が配置されている信号領域を含む該信号領域以降の信号領域に配置されるランダムアクセスレスポンス情報の数を表す情報であることを特徴とする請求項１に記載の無線通信システム。
【請求項４】
前記ランダムアクセスは、前記基地局装置の決定に従った信号を前記移動局装置が送信する非競合ランダムアクセスと、前記移動局装置が決定した信号を前記移動局装置が送信する競合ランダムアクセスとを含むことを特徴とする請求項１から請求項３のいずれかの項に記載の無線通信システム。
【請求項５】
基地局装置に対してランダムアクセスの信号を送信するランダムアクセス送信部と、
受信信号中のランダムアクセスレスポンス情報の中から、当該移動局装置が送信した前記ランダムアクセスの応答であるランダムアクセスレスポンス情報を検出して、抽出するランダムアクセスレスポンス抽出部と、
当該移動局装置が送信した前記ランダムアクセスに対する応答のランダムアクセスレスポンス情報の送信期間中におけるランダムアクセスレスポンス情報の送信終了を検出するランダムアクセスレスポンス終了検出部と、
当該移動局装置が送信した前記ランダムアクセスに対する応答のランダムアクセスレスポンス情報の送信期間中に、前記ランダムアクセスレスポンス抽出部が前記応答を検出しないうちに、前記ランダムアクセスレスポンス終了検出部が送信終了を検出したときは、前記ランダムアクセス送信部に対して前記ランダムアクセスの信号の再送信を指示する再送処理部と
を具備することを特徴とする移動局装置。
【請求項６】
複数の移動局装置と通信する基地局装置において、
受信信号からランダムアクセスの信号を検出するランダムアクセス検出部と、
検出した前記信号のランダムアクセスに対する応答であるランダムアクセスレスポンス情報と、該ランダムアクセスレスポンス情報を含むランダムアクセスレスポンス情報の送信期間中における複数のランダムアクセスレスポンス情報の送信終了を判定可能な情報とを生成する制御データ作成部と、
生成した前記ランダムアクセスレスポンス情報と前記送信終了を判定可能な情報とを送信信号に配置する信号配置部と
を具備することを特徴とする基地局装置。
【請求項７】
基地局装置と複数の移動局装置とを具備する無線通信システムにおけるランダムアクセス方法において、
前記移動局装置が、前記基地局装置に対してランダムアクセスの信号を送信する第１の過程と、
前記基地局装置が、前記移動局装置から受信した受信信号から前記ランダムアクセスの信号を検出する第２の過程と、
前記基地局装置が、前記第２の過程にて検出した前記信号のランダムアクセスに対するランダムアクセスレスポンス情報と、該ランダムアクセスレスポンス情報を含むランダムアクセスレスポンス情報の送信期間中における複数のランダムアクセスレスポンス情報の送信終了を判定可能な情報とを生成する第３の過程と、
前記基地局装置が、前記第３の過程にて生成した前記ランダムアクセスレスポンス情報と前記送信終了を判定可能な情報とを送信信号に配置して送信する第４の過程と、
前記移動局装置が、前記第４の過程の送信信号を受信した受信信号中のランダムアクセスレスポンス情報の中から、前記第１の過程にて当該移動局装置が送信した前記ランダムアクセスの応答であるランダムアクセスレスポンス情報を検出して、抽出する第５の過程と、
前記移動局装置が、前記第１の過程にて当該移動局装置が送信した前記ランダムアクセスに対する応答のランダムアクセスレスポンス情報の送信期間中におけるランダムアクセスレスポンス情報の送信終了を判定可能な情報を受信信号から検出し、前記送信期間中におけるランダムアクセスレスポンス情報の送信終了を検出する第６の過程と、
前記移動局装置が、前記第１の過程にて当該移動局装置が送信した前記ランダムアクセスに対する応答のランダムアクセスレスポンス情報の送信期間中に、前記第５の過程にて前記応答を検出しないうちに、前記第６の過程にて送信終了を検出したときは、前記ランダムアクセスの信号の再送信を指示する第７の過程と
を備えることを特徴とするランダムアクセス方法。
【発明の詳細な説明】
【技術分野】
【０００１】
本発明は、無線通信システム、基地局装置、移動局装置およびランダムアクセス方法、特に、移動局装置から基地局装置への上りリンクにおいてランダムアクセスを行う基地局装置、移動局装置およびランダムアクセス方法に関する。
【背景技術】
【０００２】
３ＧＰＰ（3rd Generation Partnership Project：第３世代パートナーシッププロジェクト）では、Ｗ−ＣＤＭＡ方式が第三世代セルラー移動通信方式として標準化され、順次サービスが開始されている。また、通信速度を更に上げたＨＳＤＰＡ（High Speed Downlink Packet Access：高速下りパケット接続）も標準化され、サービスが開始され始めている。
一方、３ＧＰＰでは、第三世代無線アクセスの進化（Evolved Universal Terrestrial Radio Access；以下、「ＥＵＴＲＡ」という）が検討されている。ＥＵＴＲＡの下りリンクとして、ＯＦＤＭ（Orthogonal Frequency Division Multiplexing；直交周波数分割多重）方式が提案されている。また、ＥＵＴＲＡの上りリンクとして、ＤＦＴ（Discrete Fourier Transform；離散フーリエ変換）−ｓｐｒｅａｄ  ＯＦＤＭ方式のシングルキャリア通信方式が提案されている。
【０００３】
図２０は、ＥＵＴＲＡの上りリンクおよび下りリンクのチャネル構成を示す図である。基地局装置から３つの移動局装置への下りリンクは、下りリンクパイロットチャネルＤＰｉＣＨ（Downlink Pilot Channel）、下りリンク同期チャネルＤＳＣＨ（Downlink Synchronization Channel）、下りリンク共用チャネルＰＤＳＣＨ（Physical Downlink Shared Channel）、下りリンク制御チャネルＰＤＣＣＨ（Physical Downlink Control Channel）、共通制御チャネルＣＣＰＣＨ（Common Control Physical Channel）により構成されている。
移動局装置から基地局装置への上りリンクは、上りリンクパイロットチャネルＵＰｉＣＨ（Uplink Pilot Channel）、ランダムアクセスチャネルＲＡＣＨ（Random Access Channel）、上りリンク共用チャネルＰＵＳＣＨ（Physical Uplink Shared Channel）、上りリンク制御チャネルＰＵＣＣＨ（Physical Uplink Control Channel）により構成されている（非特許文献１、２を参照）。
【０００４】
図２１は、ＥＵＴＲＡの上りリンクの無線リソース構成例を示した図である。図２１に示す図は、横軸に時間をとり、縦軸に周波数をとっている。図２１は、１つの無線フレームの構成を示しており、この無線フレームは複数のリソースブロックに分割される。この例では、リソースブロックは、周波数方向に１．２５ＭＨｚ、時間方向に１ｍｓの領域を単位として構成され、これらの領域に、図２０にて説明したランダムアクセスチャネルＲＡＣＨと、上りリンク共用チャネルＰＵＳＣＨと、上りリンク制御チャネルＰＵＣＣＨとが図示のように割り当てられている。すなわち、ランダムアクセスチャネルＲＡＣＨを割り当てるリソースブロックは、ドットでハッチングした領域で示し、上りリンク共用チャネルＰＵＳＣＨを割り当てるリソースブロックは、空白の領域で示し、上りリンク制御チャネルＰＵＣＣＨを割り当てるリソースブロックは、横線でハッチングした領域で示す。
【０００５】
ＥＵＴＲＡの上りリンクのランダムアクセスチャネルＲＡＣＨには、非同期ランダムアクセスチャネルと同期ランダムアクセスチャネルがある。非同期ランダムアクセスチャネルの最小単位としては、１．２５ＭＨｚ帯域を使用する。基地局装置は、複数のランダムアクセス用チャネルを用意して、多数の移動局装置からのアクセスに対応する。非同期ランダムアクセスチャネルの使用目的のうち最大のものは、上りリンクの移動局装置−基地局装置間を同期させることであり、その他に無線リソースを割当てるスケジューリングのリクエストなどの数ビットの情報も非同期ランダムアクセスチャネルを用いて送信して、接続時間を短くすることもできる。また、同期ランダムアクセスの使用目的は、上りリンクに同期している移動局装置のスケジューリングリクエストを行うことである（例えば、非特許文献２）。
【０００６】
非同期ランダムアクセスには、競合ランダムアクセス（Contentioned based Random Access）と非競合ランダムアクセス（Non-contentioned based Random Access）の２つのアクセス方法があり、競合ランダムアクセスは、移動局装置間で衝突する可能性のあるランダムアクセスであり、通常行われるランダムアクセスである。非競合ランダムアクセスは、移動局装置間で衝突が発生しないランダムアクセスであり、迅速に移動局装置−基地局装置間の同期をとるためにハンドオーバー等の特別な場合に基地局装置主導で行われる。
【０００７】
非同期ランダムアクセスでは、同期をとるためにプリアンブルのみを送信する。これをランダムアクセスプリアンブルと証する。このプリアンブルには、情報を表す信号パターンであるシグネチャが含まれている。数十種類のシグネチャを用意しておき、これらの中から選択して用いることで、数ビットの情報（以降、「シグネチャＩＤ」という）を表現することができる。現在、ＥＵＴＲＡでは、シグネチャにより６ビットの情報を送信する。この６ビットのために、２の６乗の６４種類のシグネチャが用意される。
シグネチャによる６ビットのうち、５ビットにランダムＩＤを割当て、残りの１ビットにランダムアクセスの理由、下りリンクのパスロス／ＣＱＩ（Channel Quality Indicator）などのいずれかの情報を割り当てる（非特許文献３を参照）。
【０００８】
図２２は、非同期ランダムアクセスの競合ランダムアクセスの手順例を示すシーケンス図である。まず、移動局装置が、ランダムＩＤ、下りリンクのパスロス／ＣＱＩ情報などからなるシグネチャＩＤに対応するシグネチャを選択し、非同期ランダムアクセスチャネルでランダムアクセスプリアンブルを送信する（メッセージＭａ１）。基地局装置は、移動局装置からのプリアンブルを受信すると、プリアンブルから移動局装置−基地局装置間の同期タイミングずれを算出して同期タイミングずれ情報を生成し、Ｌ２／Ｌ３（Ｌａｙｅｒ２／Ｌａｙｅｒ３）メッセージを送信するためのスケジューリングを行いスケジューリング情報を生成し、仮のセル内移動局識別情報であるセル内移動局仮識別情報（Temporally Cell-Radio Network Temporally Identity:Ｔｅｍｐｏｒａｌｌｙ  Ｃ−ＲＮＴＩ）を割り当てる。
【０００９】
基地局装置は、下りリンク制御チャネルＰＤＣＣＨにランダムアクセスチャネルにプリアンブルを送信した移動局装置宛の応答であるランダムアクセスレスポンスが下りリンク共用チャネルＰＤＳＣＨに配置されていることを示すランダムアクセス識別情報（Random Access-Radio Network Temporally Identity：ＲＡ−ＲＮＴＩ）とランダムアクセスレスポンスの挿入されている下りリンク共用チャネルＰＤＳＣＨのリソースブロックの位置及びランダムアクセスレスポンスのデータサイズを配置する。さらに、基地局装置は、該ランダムアクセス識別情報ＲＡ−ＲＮＴＩにてランダムアクセスレスポンスの配置を通知した下りリンク共用チャネルＰＤＳＣＨのリソースブロックにて、同期タイミングずれ情報、スケジューリング情報、セル内移動局仮識別情報および受信したプリアンブルのシグネチャＩＤ（またはランダムＩＤ）等を含んだランダムアクセスレスポンスを送信する（メッセージＭａ２）。なお、ランダムアクセス識別情報ＲＡ−ＲＮＴＩは、セル内移動局識別情報として用いられない特定の値であり、移動局装置は、該特定の値を検出することで、ランダムアクセスレスポンスが下りリンク共用チャネルＰＤＳＣＨへ配置されていることを識別する。また、ランダムアクセス識別情報ＲＡ−ＲＮＴＩは、非同期ランダムアクセスチャネルの物理リソースであるリソースブロックの数に対応して用意される。つまり、周波数軸上にｍ個の非同期ランダムアクセスチャネルがある場合、ｍ個のランダムアクセス識別情報ＲＡ−ＲＮＴＩが存在する。
【００１０】
図２３（ａ）は、前述したランダムアクセス識別情報ＲＡ−ＲＮＴＩとランダムアクセスレスポンスのスケジューリング情報とランダムアクセスレスポンスサイズとの下りリンク制御チャネルＰＤＣＣＨへの配置例である。図２３（ｂ）は、非同期ランダムアクセスのランダムアクセス識別情報ＲＡ−ＲＮＴＩにて配置を通知したときのランダムアクセスレスポンスの下りリンク共用チャネルＰＤＳＣＨへの配置例である。図２３に示すように、下りリンク制御チャネルＰＤＣＣＨに配置したランダムアクセス識別情報ＲＡ−ＲＮＴＩにて、ランダムアクセスレスポンスの配置を通知した場合は、下りリンク共用チャネルＰＤＳＣＨに、シグネチャＩＤ数（又は、ランダムＩＤ数）とシグネチャＩＤ数で示された複数移動局装置分の同期タイミングずれ情報、スケジューリング情報、セル内移動局仮識別情報および受信したプリアンブルのシグネチャＩＤからなるランダムアクセスレスポンスメッセージを含んだランダムアクセスレスポンスが配置される。更に、ランダムアクセスレスポンスを複数に分割することもでき、下りリンク共用チャネルＰＤＳＣＨの異なる時間／周波数の位置に配置することもできる。このようなランダムアクセスレスポンスメッセージを複数に分割する場合にも、同じＲＡ−ＲＮＴＩが用いられる（非特許文献４を参照）。
【００１１】
移動局装置は、下りリンク制御チャネルＰＤＣＣＨにランダムアクセス識別情報ＲＡ−ＲＮＴＩがあることを確認すると、下りリンク共用チャネルＰＤＳＣＨに配置されたランダムアクセスレスポンスの中身を確認し、送信したプリアンブルのシグネチャＩＤ（またはランダムＩＤ）が含まれる応答を抽出し、該応答内の同期タイミングずれ情報に基づいて同期ずれを補正する。次に、移動局装置は、受信したスケジューリング情報に基づいて、スケジューリングされたリソースブロックで少なくともセル内移動局識別情報（又はセル内移動局仮識別情報）を含むＬ２／Ｌ３メッセージを送信する（メッセージＭａ３）。基地局装置は、移動局装置からのＬ２／Ｌ３メッセージを受信すると、移動局装置間で衝突が起こっているかどうか判断するためのコンテンションレゾリューションを移動局装置に送信する（メッセージＭａ４）（非特許文献３を参照）。
【００１２】
ランダムアクセスレスポンス（メッセージＭａ２）及びコンテンションレゾリューション（メッセージＭａ４）には、それぞれ、基地局装置の送信期間Ｔｍａ２＿ＮＢ（または、移動局装置の受信期間Ｔｍａ２＿ＵＥ＝Ｔｍａ２＿ＮＢ）及び基地局装置の送信期間Ｔｍａ４＿ＮＢ（または、移動局装置の受信期間Ｔｍａ４＿ＵＥ＝Ｔｍａ４＿ＮＢ）が定められており、それぞれの期間内に移動局装置が自移動局宛のランダムアクセスレスポンスメッセージもしくはコンテンションレゾリューションを受信できない場合、ランダムアクセス手順が失敗したとして、再度、ランダムアクセスプリアンブル（メッセージＭａ１）から送信する手順に戻る。
【００１３】
図２４は、非同期ランダムアクセスの非競合ランダムアクセスの手順例を示すシーケンス図である。まず、基地局装置は、シグネチャＩＤを選択し、このシグネチャＩＤを含んだランダムアクセスプリアンブル割当を移動局装置に送信する（メッセージＭｂ１）。移動局装置は、基地局装置からのランダムアクセスプリアンブルに含まれているシグネチャＩＤを使用して非同期ランダムアクセスチャネルでランダムアクセスプリアンブルを送信する（メッセージＭｂ２）。基地局装置は、移動局装置からのプリアンブルを受信すると、プリアンブルから移動局装置−基地局装置間の同期タイミングずれを算出して同期タイミングずれ情報を生成する。基地局装置は、図２５（ａ）に示す様に、下りリンク制御チャネルＰＤＣＣＨに、ランダムアクセスチャネルを用いてプリアンブルを送信した移動局装置宛の応答である図２５（ｂ）に示すランダムアクセスレスポンスが下りリンク共用チャネルＰＤＳＣＨに配置されていることを示すランダムアクセス識別情報ＲＡ−ＲＮＴＩと、ランダムアクセスレスポンスの挿入されている下りリンク共用チャネルＰＤＳＣＨのリリソースブロックの位置を表すスケジューリング情報と、ランダムアクセスレスポンスのデータサイズを表すランダムアクセスレスポンスサイズとを配置する。
【００１４】
図２４に戻って、さらに、基地局装置は、該ＲＡ−ＲＮＴＩにてランダムアクセスレスポンスの配置を通知した下りリンク共用チャネルＰＤＳＣＨのリソースブロックにて、同期タイミングずれ情報、受信したプリアンブルのシグネチャＩＤ等を含んだランダムアクセスレスポンスを送信する（メッセージＭｂ３）。このランダムアクセスレスポンスの下りリンク共用チャネルＰＤＳＣＨへの配置例を図２５（ｂ）に示す。移動局装置は、下りリンク制御チャネルＰＤＣＣＨにＲＡ−ＲＮＴＩがあることを確認すると、下りリンク共用チャネルＰＤＳＣＨに配置されたランダムアクセスレスポンスの中身を確認し、送信したプリアンブルのシグネチャＩＤ（またはランダムＩＤ）が含まれる応答を抽出し、該応答内の同期タイミングずれ情報に基づいて同期ずれを補正する。ランダムアクセスレスポンス（メッセージＭｂ３）には、基地局装置の送信期間Ｔｍｂ２＿ＮＢ（または、移動局装置の受信期間Ｔｍｂ２＿ＵＥ＝Ｔｍｂ２＿ＮＢ）が定められており、その期間内に移動局装置が自移動局宛てのランダムアクセスレスポンスを受信できない場合、ランダムアクセス手順が失敗したとして、再度、ランダムアクセスプリアンブル（メッセージＭｂ２）を送信する手順に戻る。
【００１５】
尚、図２６に示すように、競合ランダムアクセスに対する応答のランダムレスポンス情報と非競合ランダムアクセスに対する応答のランダムアクセスレスポンス情報を１つのランダムアクセスレスポンスに含めて送信することもできる。図２６（ａ）は、ランダムアクセス識別情報ＲＡ−ＲＮＴＩ、スケジューリング情報、ランダムアクセスレスポンスサイズが下りリンク制御チャネルＰＤＣＣＨに配置される様子を示す。図２６（ｂ）は、図２６（ａ）示す情報により通知されたランダムアクセスレスポンスが下りリンク共用チャネルＰＤＳＣＨに配置される様子を示す。シグネチャＩＤ数１は競合ランダムアクセスについてのシグネチャＩＤの数を示し、シグネチャＩＤ数２は非競合ランダムアクセスについてのシグネチャＩＤの数を示す。シグネチャＩＤ数１のランダムアクセス情報の内容は競合ランダムアクセスについて図２３（ｂ）に示したものと同じであり、シグネチャＩＤ数２のランダムアクセス情報の内容は非競合ランダムアクセスについて図２５（ｂ）に示したものと同じである。
【非特許文献１】３ＧＰＰ  ＴＳ（Ｔｅｃｈｎｉｃａｌ  Ｓｐｅｃｉｆｉｃａｙｉｏｎ）３６．２１１、Ｖ１．１０（２００７−０５）、Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ、Ｐｈｙｓｉｃａｌ  Ｃｈａｎｎｅｌ  ａｎｄ  Ｍｕｄｕｌａｔｉｏｎ（Ｒｅｌｅａｓｅ  ８）
【非特許文献２】３ＧＰＰ  ＴＳ（Ｔｅｃｈｎｉｃａｌ  Ｓｐｅｃｉｆｉｃａｙｉｏｎ）３６．２１２、Ｖ１．２０（２００７−０５）、Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ、Ｍｕｌｔｉｐｌｅｘｉｎｇ  ａｎｄ  ｃｈａｎｎｅｌ  ｃｏｄｉｎｇ（Ｒｅｌｅａｓｅ  ８）
【非特許文献３】Ｒ２−０７２３３８  “Ｕｐｄａｔｅ  ｏｎ  Ｍｏｂｉｌｉｔｙ，  Ｓｅｃｕｒｉｔｙ，  Ｒａｎｄｏｍ  Ａｃｃｅｓｓ  Ｐｒｏｃｅｄｕｒｅ，  ｅｔｃ”，３ＧＰＰ  ＴＳＧ  ＲＡＮ  ＷＧ２  Ｍｅｔｔｉｎｇ＃５８  Ｋｏｂｅ，Ｊａｐａｎ，７−１１  Ｍａｙ，２００７
【非特許文献４】Ｒ２−０７１６１７  “Ｏｎ  ｓｅｔｔｉｎｇ  ｔｈｅ  Ｃ−ＲＮＴＩ  ｉｎ  ＲＡＣＨ  ｍｅｓｓａｇｅ  ｔｗｏ”，３ＧＰＰ  ＴＳＧ  ＲＡＮ  ＷＧ２  Ｍｅｔｔｉｎｇ＃５８  Ｋｏｂｅ，Ｊａｐａｎ，７−１１  Ｍａｙ，２００７
【発明の開示】
【発明が解決しようとする課題】
【００１６】
しかしながら、例えば、従来の非同期ランダムアクセスの競合ランダムアクセスにおけるランダムアクセスレスポンス（メッセージＭａ２）は、所定の最大数までのランダムアクセスレスポンス情報毎に分割され、下りリンク共用チャネルＰＤＳＣＨの異なる時間／周波数の複数の位置に配置されるので、移動局装置は、自移動局宛のランダムアクセスレスポンス情報を受信しない限り、基地局装置の送信期間Ｔｍａ２＿ＮＢ（又は、移動局装置の受信期間Ｔｍａ２＿ＵＥ）の間は、ランダムアクセスレスポンス情報を待たなくてはならない。
【００１７】
図２７は、ＥＵＴＲＡの上りリンクリソース構成の概略をその上段に示すとともに、下りリンクリソース構成の概略をその下段に示す。両者の横軸は時間、縦軸は周波数を示すが、その際に両者の時間軸の原点を一致させてある。上りリンクリソース構成において、ドットでハッチングした領域はランダムアクセスチャネルＲＡＣＨを割り当てるリソースブロックを示すが、このＲＡＣＨは図示の例では４つ置きのリソースブロックに割り当てられる。基地局送信時間Ｔｍａ２＿ＮＢ（又は移動局受信期間Ｔｍａ２＿ＵＥ）を１０個のリソースブロック間隔に相当するとする。移動局装置がランダムアクセスプリアンブルを一つのランダムアクセスチャネルＲＡＣＨにより基地局装置へと送信し、基地局装置はそれから２つのリソースブロック間隔を置いてランダムアクセスレスポンスを下りリンク共用チャネルＰＤＳＣＨのリソースブロックを用いて送信するが、移動局装置はランダムアクセスレスポンスの受信に失敗したとする。図２７の様に基地局装置の送信期間Ｔｍａ２＿ＮＢが長い期間の場合、ランダムアクセスプリアンブル送信（メッセージＭａ１）に失敗した移動局装置や、上述のようにランダムアクセスレスポンス（メッセージＭａ２）の受信に失敗した移動局装置は、送信期間Ｔｍａ２＿ＮＢ後に、再度、ランダムアクセスプリアンブルを送信することになり、再ランダムアクセスまでに時間が掛かり過ぎるという問題がある。
【００１８】
本発明は、このような事情に鑑みてなされたもので、その目的は、効率の良いランダムアクセスレスポンスの送受信を行う基地局装置、移動局装置、無線通信システム、プログラム、ランダムアクセスレスポンス送信方法およびランダムアクセスレスポンス受信方法を提供することにある。
【課題を解決するための手段】
【００１９】
この発明は上述した課題を解決するためになされたもので、本発明の無線通信システムは、基地局装置と複数の移動局装置とを具備する無線通信システムにおいて、前記移動局装置は、前記基地局装置に対してランダムアクセスの信号を送信するランダムアクセス送信部と、受信信号中のランダムアクセスレスポンス情報の中から、当該移動局装置が送信した前記ランダムアクセスの応答であるランダムアクセスレスポンス情報を検出して、抽出するランダムアクセスレスポンス抽出部と、当該移動局装置が送信した前記ランダムアクセスに対する応答のランダムアクセスレスポンス情報の送信期間中におけるランダムアクセスレスポンス情報の送信終了を検出するランダムアクセスレスポンス終了検出部と、当該移動局装置が送信した前記ランダムアクセスに対する応答のランダムアクセスレスポンス情報の送信期間中に、前記ランダムアクセスレスポンス抽出部が前記応答を検出しないうちに、前記ランダムアクセスレスポンス終了検出部が送信終了を検出したときは、前記ランダムアクセス送信部に対して前記ランダムアクセスの信号の再送信を指示する再送処理部とを具備し、前記基地局装置は、受信信号からランダムアクセスの信号を検出するランダムアクセス検出部と、検出した前記信号のランダムアクセスに対するランダムアクセスレスポンス情報と、該ランダムアクセスレスポンス情報を含むランダムアクセスレスポンス情報の送信期間中におけるランダムアクセスレスポンス情報の送信終了を判定可能な情報とを生成する制御データ作成部と、生成した前記ランダムアクセスレスポンス情報と前記送信終了を判定可能な情報とを送信信号に配置する信号配置部とを具備することを特徴とする。
【００２０】
また、本発明の無線通信システムは、上述の無線通信システムであって、前記送信終了を判定可能な情報は、前記送信期間中に、該情報とともにランダムアクセスレスポンス情報が配置されている信号領域より後の信号領域にランダムアクセスレスポンス情報が配置されるか否かを示すフラグであることを特徴とする。
【００２１】
また、本発明の無線通信システムは、上述の無線通信システムであって、前記送信終了を判定可能な情報は、前記送信期間中に、該情報とともにランダムアクセスレスポンス情報が配置されている信号領域を含む該信号領域以降の信号領域に配置されるランダムアクセスレスポンス情報の数を表す情報であることを特徴とする。
【００２２】
また、本発明の無線通信システムは、上述のいずれかの無線通信システムであって、前記ランダムアクセスは、前記基地局装置の決定に従った信号を前記移動局装置が送信する非競合ランダムアクセスと、前記移動局装置が決定した信号を前記移動局装置が送信する競合ランダムアクセスとを含むことを特徴とする請求項１から請求項３のいずれかの項に記載の無線通信システム。
【００２３】
また、本発明の移動局装置は、基地局装置に対してランダムアクセスの信号を送信するランダムアクセス送信部と、受信信号中のランダムアクセスレスポンス情報の中から、当該移動局装置が送信した前記ランダムアクセスの応答であるランダムアクセスレスポンス情報を検出して、抽出するランダムアクセスレスポンス抽出部と、当該移動局装置が送信した前記ランダムアクセスに対する応答のランダムアクセスレスポンス情報の送信期間中におけるランダムアクセスレスポンス情報の送信終了を検出するランダムアクセスレスポンス終了検出部と、当該移動局装置が送信した前記ランダムアクセスに対する応答のランダムアクセスレスポンス情報の送信期間中に、前記ランダムアクセスレスポンス抽出部が前記応答を検出しないうちに、前記ランダムアクセスレスポンス終了検出部が送信終了を検出したときは、前記ランダムアクセス送信部に対して前記ランダムアクセスの信号の再送信を指示する再送処理部とを具備することを特徴とする。
【００２４】
また、本発明の基地局装置は、複数の移動局装置と通信する基地局装置において、受信信号からランダムアクセスの信号を検出するランダムアクセス検出部と、検出した前記信号のランダムアクセスに対する応答であるランダムアクセスレスポンス情報と、該ランダムアクセスレスポンス情報を含むランダムアクセスレスポンス情報の送信期間中におけるランダムアクセスレスポンス情報の送信終了を判定可能な情報とを生成する制御データ作成部と、生成した前記ランダムアクセスレスポンス情報と前記送信終了を判定可能な情報とを送信信号に配置する信号配置部とを具備することを特徴とする。
【００２５】
また、本発明のランダムアクセス方法は、基地局装置と複数の移動局装置とを具備する無線通信システムにおけるランダムアクセス方法において、前記移動局装置が、前記基地局装置に対してランダムアクセスの信号を送信する第１の過程と、前記基地局装置が、前記移動局装置から受信した受信信号から前記ランダムアクセスの信号を検出する第２の過程と、前記基地局装置が、前記第２の過程にて検出した前記信号のランダムアクセスに対するランダムアクセスレスポンス情報と、該ランダムアクセスレスポンス情報を含むランダムアクセスレスポンス情報の送信期間中におけるランダムアクセスレスポンス情報の送信終了を判定可能な情報とを生成する第３の過程と、前記基地局装置が、前記第３の過程にて生成した前記ランダムアクセスレスポンス情報と前記送信終了を判定可能な情報とを送信信号に配置して送信する第４の過程と、前記移動局装置が、前記第４の過程の送信信号を受信した受信信号中のランダムアクセスレスポンス情報の中から、前記第１の過程にて当該移動局装置が送信した前記ランダムアクセスの応答であるランダムアクセスレスポンス情報を検出して、抽出する第５の過程と、前記移動局装置が、前記第１の過程にて当該移動局装置が送信した前記ランダムアクセスに対する応答のランダムアクセスレスポンス情報の送信期間中におけるランダムアクセスレスポンス情報の送信終了を判定可能な情報を受信信号から検出し、前記送信期間中におけるランダムアクセスレスポンス情報の送信終了を検出する第６の過程と、前記移動局装置が、前記第１の過程にて当該移動局装置が送信した前記ランダムアクセスに対する応答のランダムアクセスレスポンス情報の送信期間中に、前記第５の過程にて前記応答を検出しないうちに、前記第６の過程にて送信終了を検出したときは、前記ランダムアクセスの信号の再送信を指示する第７の過程とを備えることを特徴とする。
【発明の効果】
【００２６】
この発明によれば、ランダムアクセスレスポンス情報の送信終了を判定可能な情報を基地局装置が通知し、移動局装置は、該送信終了を判定可能な情報を検出することで、送信したランダムアクセスプリアンブルが基地局装置において受信されなかった場合や基地局装置が送信したランダムアクセスレスポンスが移動局装置において受信されなかった場合などのランダムアクセスに失敗したときに、ランダムアクセスレスポンスの送信期間終了を待つことなく、失敗を認識して再度ランダムアクセスすることができるので、再度ランダムアクセスするまでの時間を短縮し、効率の良いランダムアクセスレスポンスの送受信を行うことができる。
【発明を実施するための最良の形態】
【００２７】
［第１の実施形態］
以下、図面を参照して、本発明の第１の実施形態について説明する。本実施形態における無線通信システムは、基地局装置１と複数の移動局装置２とを有する。基地局装置１から移動局装置２への下りリンクはＯＦＤＭ方式を用いて送信され、下りリンクパイロットチャネルＤＰｉＣＨ、下りリンク同期チャネルＤＳＣＨ、下りリンク共用チャネルＰＤＳＣＨ、下りリンク制御チャネルＰＤＣＣＨ、共通制御チャネルＣＣＰＣＨにより構成されている。移動局装置２から基地局装置１への上りリンクはＤＦＴ−ｓｐｒｅａｄ  ＯＦＤＭ方式を用いて送信され、上りリンクパイロットチャネルＵＰｉＣＨ、ランダムアクセスチャネルＲＡＣＨ、上りリンク共用チャネルＰＵＳＣＨ、上りリンク制御チャネルＰＵＣＣＨにより構成されている。
【００２８】
本実施形態では、非同期ランダムアクセスのランダムアクセスレスポンスは異なる時間／周波数の複数のリソースブロックに配置され、移動局装置２がこれらのランダムアクセスレスポンスの中から最後のランダムアクセスレスポンスを識別する為に、基地局装置１は、送信するランダムアクセスレスポンスが最後かどうかを該ランダムアクセスレスポンスとともに通知する。すなわち、基地局装置１は、ランダムアクセスレスポンスにランダムアクセスレスポンス継続／終了識別子を挿入し、移動局装置２に通知し、移動局装置２はこのランダムアクセスレスポンス継続／終了識別子を参照してランダムアクセスレスポンスが継続するか終了するかを、自装置の送信したランダムアクセスに対するランダムアクセスレスポンスの送信期間が終了する前に知ることができる。これにより、自装置宛てのランダムアクセスレスポンスを検出しないまま、ランダムアクセスレスポンスの終了を検出した移動局装置２は、ランダムアクセスレスポンスの送信期間が終了していなくても、再度ランダムアクセスを行うことができる。
【００２９】
図１は、ランダムアクセスチャネルＲＡＣＨを用いた非同期ランダムアクセスのうち、移動局装置２がランダムＩＤを選択するため、移動局装置２間で競合が発生する競合ランダムアクセスのシーケンス例を示した図である。まず、移動局装置２が、ランダムＩＤと、下りリンクのパスロスもしくはＣＱＩ情報などとから、シグネチャＩＤを選択し、ランダムアクセスチャネルＲＡＣＨで該シグネチャＩＤに対応するランダムアクセスプリアンブルを送信する（Ｓａ１）。このシーケンスＳａ１のランダムアクセスプリアンブルは、ここでは複数（例えば、９台）の移動局装置２により、同一時間帯のリソースブロックのランダムアクセスチャネルＲＡＣＨを用いて、互いに異なるシグネチャＩＤで送信される。基地局装置１は、この９つのランダムアクセスプリアンブルを受信すると、受信したランダムアクセスプリアンブル毎に、移動局装置２−基地局装置１間の同期タイミングずれを算出して同期タイミングずれ情報を生成し、移動局装置２からＬ２／Ｌ３（Ｌａｙｅｒ２／Ｌａｙｅｒ３）メッセージを送信するためのスケジューリングを行ってスケジューリング情報を生成し、仮のセル内移動局識別情報であるセル内移動局仮識別情報Ｔｅｍｐｏｒａｌｌｙ  Ｃ−ＲＮＴＩを割り当てる。
【００３０】
次に、基地局装置１は、前述のランダムアクセスチャネルＲＡＣＨを用いてランダムアクセスプリアンブルを送信した移動局装置宛の応答であるランダムアクセスレスポンスが下りリンク共用チャネルＰＤＳＣＨに配置されていることを示すランダムアクセス識別情報ＲＡ−ＲＮＴＩとランダムアクセスレスポンスの挿入されている下りリンク共用チャネルＰＤＳＣＨのリソースブロックの位置を示すスケジューリング情報とランダムアクセスレスポンスのデータサイズを示すランダムアクセスレスポンスサイズとを、下りリンク制御チャネルＰＤＣＣＨに配置する。さらに、基地局装置１は、このランダムアクセス識別情報ＲＡ−ＲＮＴＩにてランダムアクセスレスポンスの配置を通知した下りリンク共用チャネルＰＤＳＣＨのリソースブロックに、同期タイミングずれ情報、スケジューリング情報、セル内移動局仮識別情報Ｔｅｍｐｏｒａｌｌｙ  Ｃ−ＲＮＴＩおよび受信したプリアンブルのシグネチャＩＤを含んだランダムアクセスレスポンス情報を配置して送信する（Ｓａ２）。
【００３１】
ここで、基地局装置１は、後述するように、１つのランダムアクセスレスポンスに、最大４つのランダムアクセスレスポンス情報を格納して送信する。シーケンスＳａ１で、９つのランダムアクセスプリアンブルを基地局装置１は受信しているので、シーケンスＳａ２では、最大数である４つのランダムアクセスレスポンス情報を格納し、かつ、レスポンスフラグを「０」に設定して未送信のランダムアクセスレスポンス情報があることを示すランダムアクセスレスポンスを送信する。さらに、基地局装置１は、シーケンスＳａ２と同様にランダムアクセス識別情報ＲＡ−ＲＮＴＩとスケジューリング情報とランダムアクセスレスポンスサイズとを下りリンク制御チャネルＰＤＣＣＨに配置し、残り５つのランダムアクセスレスポンス情報のうちの４つを格納し、かつ、レスポンスフラグを「０」に設定して未送信のランダムアクセスレスポンス情報があることを示すランダムアクセスレスポンスを下りリンク共用チャネルＰＤＳＣＨに配置して、送信する（Ｓａ３）。
【００３２】
次に、基地局装置１は、シーケンスＳａ２、Ｓａ３と同様にランダムアクセス識別情報ＲＡ−ＲＮＴＩとスケジューリング情報とランダムアクセスレスポンスサイズとを下りリンク制御チャネルＰＤＣＣＨに配置し、残り１つのランダムアクセスレスポンス情報を格納し、かつ、レスポンスフラグを「１」に設定して未送信のランダムアクセスレスポンス情報がなくなりランダムアクセスレスポンス送信の終了を示すランダムアクセスレスポンスを下りリンク共用チャネルＰＤＳＣＨに配置して、送信する（Ｓａ４）。これら、シーケンスＳａ２〜Ｓａ４のランダムアクセスレスポンスは、ランダムアクセスプリアンブルＳａ１の送信時から一定時間の期間である送信期間Ｔｍａ２＿ＮＢ内に送信される。
【００３３】
ランダムアクセス識別情報ＲＡ−ＲＮＴＩは、セル内移動局識別情報として用いられない特定の値であり、かつ、該レスポンスの元のランダムアクセスプリアンブルが送信されたランダムアクセスチャネルＲＡＣＨのリソースブロックによって決まる特定の値である。移動局装置２は、自装置がランダムアクセスプリアンブルを送信したリソースブロックに対応した該特定の値のランダムアクセス識別情報ＲＡ−ＲＮＴＩ（シーケンスＳａ２〜Ｓａ４）を、シーケンスＳａ１から始まる送信期間Ｔｍａ２＿ＮＢと同一の期間である受信期間Ｔｍａ２＿ＵＥの間監視して、下りリンク制御チャネルＰＤＣＣＨから検出する。さらに、移動局装置２は、検出したランダムアクセス識別情報ＲＡ−ＲＮＴＩとともに配置されたスケジューリング情報を参照して、下りリンク共用チャネルＰＤＳＣＨへ配置されているランダムアクセスレスポンスを取得し、これらの中から、自装置が送信したランダムアクセスプリアンブルのシグネチャＩＤとシグネチャＩＤが一致する自装置へのランダムレスポンス情報を取得する。なお、前述の送信期間Ｔｍａ２＿ＮＢと受信期間Ｔｍａ２＿ＵＥとは、同一の長さの期間である。
【００３４】
次に、移動局装置２は、受信したランダムレスポンス情報中のスケジューリング情報に基づいてスケジューリングされたリソースブロックで、少なくともセル内移動局識別情報（又はセル内移動局仮識別情報）を含むＬ２／Ｌ３メッセージを送信する（Ｓａ５）。基地局装置１は、移動局装置２からのＬ２／Ｌ３メッセージを受信すると、移動局装置２間で衝突が起こっているかどうか判断するためのコンテンションレゾリューションを移動局装置２に送信する（Ｓａ６）
【００３５】
なお、ランダムアクセス識別情報ＲＡ−ＲＮＴＩは、非同期ランダムアクセスチャネルの物理リソースであるリソースブロックの数に対応して用意され、該リソースブロックにて送信されたランダムアクセスプリアンブルに対するランダムアクセスレスポンスの送信期間Ｔｍａ２＿ＮＢの間は、同一の値のランダムアクセス識別情報ＲＡ−ＲＮＴＩが複数のリソースブロックに割り当てられないようにする。これにより、衝突を起こしていなければ、ランダムアクセス識別情報ＲＡ−ＲＮＴＩの値とランダムアクセスプリアンブルのシグネチャＩＤとの組み合わせで、移動局装置２が特定される。つまり、周波数軸上にｍ個の非同期ランダムアクセスチャネルがある場合、ｍ個のランダムアクセス識別情報ＲＡ−ＲＮＴＩが存在する。
【００３６】
図２（ａ）は、下りリンク共用チャネルＰＤＳＣＨに配置されるランダムアクセスレスポンスのフォーマット例であり、図２（ｂ）は、下りリンク制御チャネルＰＤＣＣＨに配置されるランダムアクセスレスポンスの送信を通知する情報のフォーマット例である。ランダムアクセスレスポンスは、レスポンスフラグ、シグネチャ数ｎ、ランダムアクセスレスポンス情報１〜ランダムアクセスレスポンス情報ｎ及びこれらの情報についての巡回冗長検査ＣＲＣを含む。レスポンスフラグは、送信されたランダムアクセスレスポンスが、当該ランダムアクセスレスポンスと同じランダムアクセス識別情報ＲＡ−ＲＮＴＩにて配置を通知される最後のランダムアクセスレスポンスか否か示すフラグである。
【００３７】
シグネチャ数ｎは当該ランダムアクセスレスポンスにランダムアクセスレスポンス情報がいくつ含まれているか示す。ランダムアクセスレスポンス情報は、同期タイミングずれ情報、スケジューリング情報、セル内移動局仮識別情報Ｔｅｍｐｏｒａｌｌｙ  Ｃ−ＲＮＴＩおよび基地局装置が受信したランダムアクセスプリアンブルのシグネチャＩＤ（またはランダムＩＤ）を含む。ここでは、１つのランダムアクセスレスポンスに配置されるランダムアクセスレスポンス情報は最大数を４個とする。尚、ランダムアクセスレスポンスに含むことのできるランダムアクセスレスポンス情報数は、可変としてもよい。
【００３８】
また、下りリンク制御チャネルＰＤＣＣＨに配置されるランダムアクセスレスポンスの送信を通知する情報は、ランダムアクセス識別情報ＲＡ−ＲＮＴＩと、スケジューリング情報と、ランダムアクセスレスポンスサイズを含む。ランダムアクセス識別情報ＲＡ−ＲＮＴＩは、上述のランダムアクセスレスポンスに対応するランダムアクセスプリアンブルが送信されたランダムアクセスチャネルＲＡＣＨのリソースブロックに対応する値である。スケジューリング情報は、上述のランダムアクセスレスポンスが配置されているリソースブロックを指定する情報である。ランダムアクセスレスポンスサイズは、上述のランダムアクセスレスポンスのバイト数を表す情報である。
【００３９】
基地局装置１は、あるランダムアクセスチャネルＲＡＣＨで、ランダムアクセスプリアンブルを受信すると、プリアンブルから移動局装置２−基地局装置１間の同期タイミングずれを算出して同期タイミングずれ情報を生成し、Ｌ２／Ｌ３（Ｌａｙｅｒ２／Ｌａｙｅｒ３）メッセージを送信するためのスケジューリングを行い、スケジューリング情報を生成し、セル内移動局仮識別情報Ｔｅｍｐｏｒａｌｌｙ  Ｃ−ＲＮＴＩを割り当てる。そして、同期タイミングずれ情報、スケジューリング情報、セル内移動局仮識別情報Ｔｅｍｐｏｒａｌｌｙ  Ｃ−ＲＮＴＩ及び対応したシグネチャＩＤを含んだランダムアクセスレスポンス情報を作成する。この動作を検出したプリアンブル数分行う。検出したプリアンブル数分のランダムアクセスレスポンス情報を作成後、これらのランダムアクセスレスポンス情報を格納したランダムアクセスレスポンスを作成する。
【００４０】
ここで、図３（ａ）に例示するように作成したランダムアクセスレスポンス情報の数が、１つのランダムアクセスレスポンスに格納可能な最大のランダムアクセスレスポンス情報数を超えた場合、基地局装置１は、複数のランダムアクセスレスポンスを作成する。各ランダムアクセスレスポンスのシグネチャ数に、当該ランダムアクセスレスポンスに含まれるランダムアクセスレスポンス情報数を設定し、最後に送信するランダムアクセスレスポンスのレスポンスフラグに「１」を設定し、それ以外のランダムアクセスレスポンスのレスポンスフラグを「０」に設定する。図３（ａ）の例では、ランダムアクセスレスポンス情報の数が９で、１つのランダムアクセスレスポンスに格納可能な最大のランダムアクセスレスポンス情報数が４である。このため、ランダムアクセスレスポンスＡ１、Ａ２各々には、レスポンスフラグを「０」に設定し、シグネチャ数に「４」を設定して、ランダムアクセスレスポンス情報を４つずつ格納する。さらに、ランダムアクセスレスポンスＡ３には、レスポンスフラグを「１」に設定し、シグネチャ数に「１」を設定する。レスポンスフラグが最後に各ランダムアクセスレスポンスの巡回冗長検査ＣＲＣを算出して付加する。
【００４１】
また、図３（ｂ）に例示するように作成したランダムアクセスレスポンス情報の数が、１つのランダムアクセスレスポンスでの最大のランダムアクセスレスポンス情報数を超えない場合、基地局装置１は、１つのランダムアクセスレスポンスを作成し、このランダムアクセスレスポンスのシグネチャ数に作成したランダムアクセスレスポンス情報の数を設定し、レスポンスフラグに「１」を設定する。図３（ｂ）の例では、ランダムアクセスレスポンス情報の数が３で、１つのランダムアクセスレスポンスに格納可能な最大のランダムアクセスレスポンス情報数が４である。このため、ランダムアクセスレスポンスＢ１には、レスポンスフラグを「１」に設定し、シグネチャ数に「３」を設定して、全てのランダムアクセスレスポンス情報、すなわち３つ格納する。最後にランダムアクセスレスポンスの巡回冗長検査ＣＲＣを付加する。
【００４２】
そして、基地局装置１は、各ランダムアクセスレスポンスのデータ容量を算出し、下りリンク共用チャネルＰＤＳＣＨに割り当てるスケジューリングを行う。さらに基地局装置１は、下りリンク制御チャネルＰＤＣＣＨに、ランダムアクセスプリアンブルが送信されたランダムアクセスチャネルＲＡＣＨに対応する値のランダムアクセス識別情報ＲＡ−ＲＮＴＩと、ランダムアクセスレスポンスの位置を示したスケジューリング情報、ランダムアクセスレスポンスサイズを配置し、スケジューリングされた位置にランダムアクセスレスポンスを配置して、送信する。
【００４３】
図４は、移動局装置２のランダムアクセスレスポンスの受信処理の動作を説明するフローチャートである。移動局装置２は、ランダムアクセスプリアンブルを送信後、ランダムアクセスレスポンス受信処理を開始する。移動局装置２は、下りリンク制御チャネルＰＤＣＣＨに配置されるランダムアクセス識別情報ＲＡ−ＲＮＴＩをモニタリングする（Ｓ１）。移動局装置２は、ランダムアクセスプリアンブルを送信したランダムアクセスチャネルＲＡＣＨに対応するランダムアクセス識別情報ＲＡ−ＲＮＴＩを検出すると、スケジューリング情報からランダムアクセスレスポンスの位置を検出し、該ランダムアクセスレスポンスを取得する。
【００４４】
まず、移動局装置２は、ランダムアクセスレスポンスの巡回冗長検査ＣＲＣチェックを行い、ランダムアクセスレスポンスが正しいデータか否かを判定する（Ｓ２）。正しくない場合、ステップＳ１に戻って、移動局装置２は、再度、ランダムアクセス識別情報ＲＡ−ＲＮＴＩをモニタリングする。正しい場合、ステップＳ３に遷移して、移動局装置２は、ランダムアクセスレスポンス内のランダムアクセスレスポンス情報を設定されているシグネチャ数分解析する。まず、移動局装置２は、シグネチャＩＤが、自移動局装置２が送信したランダムアクセスプリアンブルと同じか否かを判定する（Ｓ３）。
【００４５】
この判定で、シグネチャＩＤが同じ場合、ステップＳ４に遷移して、移動局装置２は、自移動局装置２のランダムアクセスレスポンス情報内のセル内移動局仮識別情報Ｔｅｍｐｏｒａｌｌｙ  Ｃ−ＲＮＴＩを保存する（セル内移動局識別情報Ｃ−ＲＮＴＩを既に持っている移動局装置２は破棄する）。次に、移動局装置２は、ランダムアクセスレスポンス情報に挿入されている同期タイミングずれ情報から、上りリンクの同期タイミングを補正する。さらに、移動局装置２は、送信すべきＬ２／Ｌ３メッセージを作成し、ランダムアクセスレスポンス情報スケジューリング情報で割り当てられた上りリンク共用チャネルＰＵＳＣＨで作成したＬ２／Ｌ３メッセージを送信する。
【００４６】
一方、ステップＳ３の判定で、シグネチャＩＤが含まれていない場合、ステップＳ５に遷移して、移動局装置２は、ランダムアクセスレスポンスのレスポンスフラグの設定が「１」か否かを判定する。このレスポンスフラグが「０」であり、設定されていないと判定したとき、ランダムアクセスレスポンスが続くとして、ステップＳ１に遷移して、移動局装置２は、再度、ランダムアクセス識別情報ＲＡ−ＲＮＴＩをモニタリングし、上述の処理を繰り返す。一方、ステップＳ５の判定で、レスポンスフラグが「１」であり、設定されていると判定したとき、移動局装置２は、該ランダムアクセスレスポンスが最後であり、ランダムアクセスプリアンブルの送信、もしくは、ランダムアクセスレスポンスの受信に失敗したとして、ランダムアクセスレスポンスの受信処理を終了し、ランダムアクセスプリアンブル送信を再度行う。
【００４７】
図５は、基地局装置１の構成を示す概略ブロック図である。基地局装置１は、データ制御部１１、ＯＦＤＭ変調部１２、スケジューリング部１３、チャネル推定部１４、ＤＦＴ−Ｓ−ＯＦＤＭ復調部１５、制御データ抽出部１６、プリアンブル検出部１７、無線部１８を有する。スケジューリング部１３は、ＤＬスケジューリング部２１、ＵＬスケジューリング部２０、制御データ作成部２２を有する。データ制御部（信号配置部）１１は、ユーザーデータと制御データとを受け、スケジューリング部１３からの指示により制御データを下りリンク制御チャネルＰＤＣＣＨ、下りリンク共用チャネルＰＤＳＣＨ、下りリンク同期チャネルＤＳＣＨ、下りリンクパイロットチャネルＤＰｉＣＨ、共通制御チャネルＣＣＰＣＨにマッピングし、各移動局装置２に対するユーザーデータを下りリンク共用チャネルＰＤＳＣＨにマッピングする。
【００４８】
ＯＦＤＭ変調部１２は、データ制御部１１により、各チャネルにマッピングされたデータを、データ変調、入力信号の直列／並列変換し、ＩＦＦＴ（Ｉｎｖｅｒｓｅ  Ｆａｓｔ  Ｆｏｕｒｉｅｒ  Ｔｒａｎｓｆｏｒｍ；逆高速フーリエ変換）変換、ＣＰ（Ｃｙｃｌｉｃ  Ｐｒｅｆｉｘ；サイクリックプレフィックス）挿入、フィルタリングなどＯＦＤＭ信号処理を行い、ＯＦＤＭ信号を生成する。無線部１８は、ＯＦＤＭ変調部１２が生成したＯＦＤＭ信号を無線周波数にアップコンバートし、アンテナを介して移動局装置２に送信する。
【００４９】
また、無線部１８は、移動局装置２からの上りリンクの信号をアンテナを介して受信し、ベースバンド信号にダウンコンバートして、ベースバンド信号をＤＦＴ−Ｓ−ＯＦＤＭ復調部１５、チャネル推定部１４、プリアンブル検出部１７に渡す。チャネル推定部１４は、入力されたベースバンド信号のうち、既知の信号が配置されている上りリンクパイロットチャネルＵＰｉＣＨから無線伝搬路特性を推定し、ＤＦＴ−Ｓ−ＯＦＤＭ復調部１５に無線伝搬路推定結果を渡す。また、チャネル推定部１４は、上りリンクのスケジューリングを行う為に無線伝搬路推定結果をスケジューリング部１３にも渡す。ＤＦＴ−Ｓ−ＯＦＤＭ復調部１５は、無線部１８が出力したベースバンド信号を、ＤＦＴ−ｓｐｒｅａｄ  ＯＦＤＭ方式の復調を行ない、受信データを生成する。この際、ＤＦＴ−Ｓ−ＯＦＤＭ復調部１５は、チャネル推定部１４から受けた伝播路推定結果と、制御データ抽出部１６から受けた変調パラメータを用いる。尚、上りリンクの通信方式は、ＤＦＴ−ｓｐｒｅａｄ  ＯＦＤＭ方式等のようなシングルキャリア方式を想定しているが、ＯＦＤＭ方式のようなマルチキャリア方式でもかまわない。
【００５０】
制御データ抽出部１６は、ＤＦＴ−Ｓ−ＯＦＤＭ復調部１５が生成した受信データの正誤を確認し、確認結果をスケジューリング部１３に通知する。制御データ抽出部１６は、受信データが正しい場合、受信データをユーザーデータと制御データに分離する。さらに、制御データ抽出部１６は、制御データの中で下りリンクのＣＱＩ情報、下りリンクデータのＡＣＫ／ＮＡＣＫなどのレイヤー２の制御データはスケジューリング部１３に渡し、その他のレイヤー３等の制御データとユーザーデータは上位層に渡すべく、出力する。制御データ抽出部１６は、受信データが誤りの場合、再送データと合成するために該受信ンデータを保存しておき、再送データを受信した時に合成処理を行う。
【００５１】
スケジューリング部１３は、下りリンクのスケジューリングを行うＤＬスケジューリング部２１と上りリンクのスケジューリングを行うＵＬスケジューリング部２０、制御データ作成部２２から構成され、ＤＬスケジューリング部２１は移動局装置２から通知されるＣＱＩ情報や上位層からの通知される各ユーザーのデータ情報、制御データ作成部２２で作成される制御データから下りリンクの各チャネルにユーザーデータ及び制御データをマッピングする為のスケジューリングを行い、ＵＬスケジューリング部２０は、チャネル推定部１４からの上りリンクの無線伝搬路推定結果と制御データ抽出部１６が抽出した移動局装置２からのリソース割り当て要求から上りリンクの各チャネルにユーザーデータをマッピングする為のスケジューリングを行う。
【００５２】
制御データ作成部２２は、上りリンクデータのＡＣＫ／ＮＡＣＫ、ランダムアクセスプリアンブル割当、ランダムアクセスレスポンス、同期更新要求などの制御データを作成する。ランダムアクセスレスポンスについては、制御データ作成部２２は、プリアンブル検出部１７がランダムアクセスプリアンブルを検出し、該プリアンブルに対応するシグネチャＩＤを受けると、該ランダムアクセスプリアンブルに対するランダムアクセスレスポンス情報と、レスポンスフラグ（すなわち該ランダムアクセスレスポンス情報を含むランダムアクセスレスポンス情報の送信期間中におけるランダムアクセスレスポンス情報の送信終了を判定可能な情報）とを含む図２に示したフォーマットのランダムアクセスレスポンスとともに、該ランダムアクセスレスポンスの送信を通知する情報を制御データとして生成し、データ制御部１１に出力する。プリアンブル検出部（ランダムアクセス検出部）１７は、無線部１８が出力したベースバンド信号からランダムアクセスプリアンブルを検出し、同期タイミングずれ量を算出し、検出したプリアンブルに対応するシグネチャＩＤと同期タイミングずれ量とをスケジューリング部１３に報告する。
【００５３】
図６は、移動局装置２の構成を示す概略ブロック図である。移動局装置２は、データ制御部３１、ＤＦＴ−Ｓ−ＯＦＤＭ変調部３２、スケジューリング部３３、ＯＦＤＭ復調部３４、チャネル推定部３５、制御データ抽出部３６、同期補正部３７、プリアンブル生成部３８、シグネチャ選択部３９、無線部４０を具備する。スケジューリング部３３は、ＵＬスケジューリング部４１、制御データ作成部４２、制御データ解析部４３、ランダムアクセスレスポンス抽出部４４、ランダムアクセスレスポンス終了検出部４５、再送処理部４６を具備する。データ制御部３１は、入力されたユーザーデータと制御データとを、スケジューリング部３３からの指示により上りリンク共用チャネルＰＵＳＣＨにマッピングする。また、データ制御部３１は、上りリンクパイロットチャネルＵＰｉＣＨを配置する。ＤＦＴ−Ｓ−ＯＦＤＭ変調部３２は、データ制御部３１が各チャネルに配置したデータについて、データ変調を行い、ＤＦＴ変換、サブキャリアマッピング、ＩＦＦＴ変換、ＣＰ（Ｃｙｃｌｉｃ  Ｐｒｅｆｉｘ）挿入、フィルタリングなどＤＦＴ−Ｓ−ＯＦＤＭ信号処理を行い、ＤＦＴ−Ｓｐｒｅａｄ−ＯＦＤＭ信号を生成する。また、ＤＦＴ−Ｓ−ＯＦＤＭ変調部３２は、プリアンブル生成部３８から受けたプリアンブルについてもサブキャリアにマッピングし、データ制御部３１が各チャネルに配置した他のデータとともにＩＦＦＴ変換、ＣＰ挿入、フィルタリングを行い、ＤＦＴ−Ｓｐｒｅａｄ−ＯＦＤＭ信号を生成する。なお、本実施形態では、上りリンクの通信方式は、ＤＦＴ−ｓｐｒｅｄ  ＯＦＤＭのようなシングルキャリア方式を想定しているが、ＯＦＤＭ方式のようなマルチキャリア方式でもかまわない。
【００５４】
同期補正部３７は、制御データ抽出部３６から渡された同期タイミングずれ情報に基づき、送信タイミングを補正し、送信タイミングに合うようにＤＦＴ−Ｓｐｒｅａｄ−ＯＦＤＭ信号を無線部４０に渡す。無線部４０は、ＤＦＴ−Ｓｐｒｅａｄ−ＯＦＤＭ信号を無線周波数にアップコンバートし、アンテナを介して、基地局装置１に送信する。また、無線部４０は、基地局装置１からの下りリンクの信号を受信し、ベースバンド信号にダウンコンバートして、ベースバンド信号をＯＦＤＭ復調部３４およびチャネル推定部３５に渡す。チャネル推定部３５は、ベースバンド信号中の下りリンクパイロットチャネルから無線伝搬路特性を推定し、ＯＦＤＭ復調部３４に推定結果を渡す。また、チャネル推定部３５は、基地局装置１に無線伝搬路推定結果を通知する為に、無線伝搬路推定結果をＣＱＩ情報に変換し、スケジューリング部にＣＱＩ情報を渡す。
【００５５】
ＯＦＤＭ復調部３４は、チャネル推定部３５の無線伝搬路推定結果を用いて、ベースバンド信号を復調して受信データを得る。制御データ抽出部３６は、受信データをユーザーデータと制御データに分離する。制御データ抽出部３６は、制御データの中で上りリンクの同期タイミングずれ情報を同期補正部３７に渡し、スケジューリング情報やランダムアクセスレスポンス等のレイヤー２の制御データをスケジューリング部３３に、レイヤー３の制御データおよびユーザーデータを上位層に渡す。スケジューリング部３３は、ＵＬスケジューリング部４１、制御データ解析部４３、制御データ作成部４２、ランダムアクセスレスポンス抽出部４４、ランダムアクセスレスポンス終了検出部４５、再送処理部４６を具備する。ＵＬスケジューリング部４１は、上位層からわたされたスケジューリング情報や基地局装置１からの制御データに基づき、上りリンクの各チャネルにデータや制御情報をマッピングするようにデータ制御部３１に指示する。
【００５６】
また、ＵＬスケジューリング部４１は、基地局装置１にランダムアクセスする場合に、シグネチャ選択部３９にランダムアクセスを行うように指示する。制御データ作成部４２は、下りリンクのＣＱＩ情報、下りリンクデータのＡＣＫ／ＮＡＣＫ、ランダムアクセス手順のＬ２／Ｌ３メッセージ等の制御データを作成する。制御データ解析部４３は、制御データ抽出部３６から渡された制御データを解析する。ランダムアクセスレスポンス抽出部４４は、制御データ抽出部３６から渡された制御データの中から、自移動局装置２が送信したランダムアクセスプリアンブルの応答であるランダムアクセスレスポンス情報をランダムアクセス識別情報ＲＡ−ＲＮＴＩおよびシグネチャＩＤに基づき検出して、抽出する。このランダムアクセスレスポンス情報の検出は、送信したランダムアクセスプリアンブルを配置したランダムアクセスチャネルＲＡＣＨのリソースブロックに対応する値のランダムアクセス識別情報ＲＡ−ＲＮＴＩと、送信したランダムアクセスプリアンブルのシグネチャＩＤとに基づきランダムアクセスレスポンス抽出部４４により行われる。ランダムアクセスレスポンス終了検出部４５は、自移動局装置２が送信したランダムアクセスプリアンブルに対する応答のランダムアクセスレスポンス情報の送信期間中におけるランダムアクセスレスポンス情報の送信終了を、レスポンスフラグにより検出する。
【００５７】
再送処理部４６は、自移動局装置２が送信したランダムアクセスプリアンブルに対する応答のランダムアクセスレスポンス情報の送信期間中に、ランダムアクセスレスポンス抽出部４４が応答を検出しないうちに、ランダムアクセスレスポンス終了検出部４５が送信終了を検出したときは、シグネチャ選択部３９に対してシグネチャＩＤの選択を指示することで、ランダムアクセスプリアンブルの再送信を指示する。シグネチャ選択部３９は、スケジューリング部３３からの指示により、ランダムアクセスチャネルで使用するシグネチャＩＤを選択し、選択したシグネチャＩＤをプリアンブル生成部３８に渡す。シグネチャ選択部３９は、スケジューリング部３３からシグネチャＩＤが指示された場合には、指示されたシグネチャＩＤをプリアンブル生成部３８に渡す。プリアンブル生成部３８は、シグネチャ選択部３９から渡されたシグネチャＩＤに対応するプリアンブルを生成し、ＤＦＴ−Ｓ−ＯＦＤＭ変調部３２に渡す。本実施形態では、シグネチャ選択部３９と、プリアンブル生成部３８と、ＤＦＴ−Ｓ−ＯＦＤＭ変調部３２とで、ランダムアクセス送信部として機能する。
【００５８】
この様に基地局装置１がランダムアクセスレスポンスに最後のレスポンスかどうかの識別情報を挿入して、移動局装置２にランダムアクセスレスポンスを送信することにより、移動局装置２は、自装置がランダムアクセスプリアンブルを送信したランダムアクセスチャネルＲＡＣＨに対するランダムアクセスレスポンスの最後かどうか判断できるので、最後のランダムアクセスレスポンスを検出した移動局装置２は、ランダムアクセスレスポンスの送信期間Ｔｍａ２＿ＮＢの終了を待つことなく、早いタイミングで再度ランダムアクセスを実行できる。
【００５９】
なお、上述の第１の実施形態では、下りリンク共用データチャネルＰＤＳＣＨに配置されるランダムアクセスレスポンスにレスポンスフラグを挿入する方法を示したが、図７のようにレスポンスフラグを、ランダムアクセス識別情報ＲＡ−ＲＮＴＩと一緒に下りリンク制御チャネルＰＤＣＣＨに配置するようにしてもよい。この場合も、レスポンスフラグがランダムアクセスレスポンスに含める場合と同様に、基地局装置１は、ランダムアクセスプリアンブルを受信すると、プリアンブルから移動局装置−基地局装置間の同期タイミングずれを算出して同期タイミングずれ情報を生成し、移動局装置２がＬ２／Ｌ３メッセージを送信するためのスケジューリングを行い、スケジューリング情報を生成し、セル内移動局仮識別情報Ｔｅｍｐｏｒａｌｌｙ  Ｃ−ＲＮＴＩを割り当てる。
【００６０】
そして、基地局装置１は、同期タイミングずれ情報、スケジューリング情報、セル内移動局仮識別情報Ｔｅｍｐｏｒａｌｌｙ  Ｃ−ＲＮＴＩ及び対応したシグネチャＩＤを含んだランダムアクセスレスポンス情報を作成する。基地局装置１は、この動作を、同じランダムアクセスチャネルＲＡＣＨにおいて検出したプリアンブル数分行う。検出したプリアンブル数分のランダムアクセス情報を作成後、基地局装置１は、ランダムアクセスレスポンスを作成する。ここで１つのランダムアクセスレスポンスでの最大のランダムアクセスレスポンス情報数を超えた場合、複数のランダムアクセスレスポンスを作成する。各ランダムアクセスレスポンスのシグネチャ数を設定し、ランダムアクセスレスポンス情報を格納する。基地局装置１は、最後に各ランダムアクセスレスポンスの巡回冗長検査ＣＲＣを付加する。ここで、第１の実施形態と異なり、ランダムアクセスレスポンスには、レスポンスフラグを格納しない。
【００６１】
そして、基地局装置１は、各ランダムアクセスレスポンスのデータ容量を算出し、下りリンク共用チャネルＰＤＳＣＨに割り当てるスケジューリングを行い、下りリンク制御チャネルＰＤＣＣＨにランダムアクセス識別情報ＲＡ−ＲＮＴＩとランダムアクセスレスポンスの位置を示したスケジューリング情報、ランダムアクセスレスポンスサイズを配置し、最後に送信するランダムアクセスレスポンスのときはレスポンスフラグに１を設定し、それ以外のランダムアクセスレスポンスのときはレスポンスフラグに０を設定する。そして、スケジューリングされた位置にランダムアクセスレスポンスを配置して、送信する。
【００６２】
次に、移動局装置２は、図８の示すフローチャートに従ったランダムアクセスレスポンスの受信処理を行う。移動局装置２は、ランダムアクセスプリアンブルを送信後、受信期間Ｔｍａ２＿ＵＥ（＝送信期間Ｔｍａ２＿ＮＢ）の間、下りリンク制御チャネルＰＤＣＣＨに配置されるランダムアクセス識別情報ＲＡ−ＲＮＴＩが、ランダムアクセスプリアンブルを配置したランダムアクセスチャネルＲＡＣＨに対応するランダムアクセス識別情報ＲＡ−ＲＮＴＩと一致するかをモニタリングする（Ｓ１１）。移動局装置２は、該当するランダムアクセス識別情報ＲＡ−ＲＮＴＩを検出すると、該ランダムアクセス識別情報ＲＡ−ＲＮＴＩとともに配置されているスケジューリング情報からランダムアクセスレスポンスの位置を取得し、ランダムアクセスレスポンスを解析する。まず、移動局装置２は、ランダムアクセスレスポンスの巡回冗長検査ＣＲＣチェックを行い、この巡回冗長検査ＣＲＣが成功するか否かによりランダムアクセスレスポンスが正しいデータか判定する（Ｓ１２）。
【００６３】
このステップＳ１２にて巡回冗長検査ＣＲＣに失敗し、ランダムアクセスレスポンスのデータは正しくないと判定したときは、移動局装置２は、ランダムアクセス識別情報ＲＡ−ＲＮＴＩとともに配置されているレスポンスフラグが１か否かを判定する（Ｓ１５）。ステップＳ１５にてレスポンスフラグが０であり、１ではないと判定したときは、移動局装置２は、ランダムアクセスレスポンスが続くとして、ステップＳ１１に戻り、再度、該当するランダムアクセス識別情報ＲＡ−ＲＮＴＩをモニタリングする。また、ステップＳ１５にてレスポンスフラグが１であると判定したときは、移動局装置２は、ランダムアクセスレスポンスが最後であり、ランダムアクセスプリアンブルの送信に失敗したとして、ランダムアクセスレスポンスの受信処理を終了して、ランダムアクセスプリアンブル送信を再度行う。
【００６４】
また、ステップＳ１２にて巡回冗長検査ＣＲＣに成功し、ランダムアクセスレスポンスのデータは正しいと判定したときは、移動局装置２は、ランダムアクセスレスポンス内のランダムアクセスレスポンス情報を設定されているシグネチャ数分解析する。まず、移動局装置２は、自移動局装置２が送信したプリアンブルと同じシグネチャＩＤが、いずれかのランダムアクセスレスポンス情報に含まれているかどうか判定する（Ｓ１３）。
【００６５】
同じシグネチャＩＤが含まれていると判定したときは、移動局装置２は、該シグネチャＩＤを含んでいるランダムアクセスレスポンス情報を、自移動局装置のランダムアクセスレスポンス情報とする（Ｓ１４）。移動局装置２は、このランダムアクセスレスポンス情報のうち、セル内移動局仮識別情報Ｔｅｍｐｏｒａｌｌｙ  Ｃ−ＲＮＴＩを保存し（Ｃ−ＲＮＴＩを既に持っている移動局装置は破棄する。）、同期タイミングずれ情報を用いて上りリンクの同期タイミングを補正する。さらに、移動局装置２は、送信すべきＬ２／Ｌ３メッセージを作成し、前述のランダムアクセスレスポンス情報に含まれているスケジューリング情報で割り当てられたＰＵＳＣＨで作成したＬ２／Ｌ３メッセージを送信する。
ステップＳ１３にて、同じシグネチャＩＤが含まれていないと判定したときは、移動局装置２は、ステップＳ１５に遷移して上述のようにレスポンスフラグが１か否かを判定し、以降、上述のステップＳ１５以降の説明と同様に動作する。
【００６６】
この様に、下りリンク制御チャネルＰＤＣＣＨにランダムアクセスレスポンスフラグを配置すると、下りリンク共用データチャネルＰＤＳＣＨに配置されたランダムアクセスレスポンスの復調に失敗した移動局装置でもランダムアクセスレスポンスが最後かどうかを認識することができる。
尚、第１の実施形態では、競合ランダムアクセスの場合について説明したが、非競合ランダムアクセスに用いてもよいし、競合ランダムアクセスと非競合ランダムアクセスとが混在している場合に用いてもよい。
【００６７】
［第２の実施形態］
第１の実施形態では、ランダムアクセスレスポンスにレスポンスフラグを挿入し、該レスポンスフラグを参照することで、移動局装置２は受信したランダムアクセスレスポンスが最後のランダムアクセスレスポンスかどうかを判断した。第２の実施形態における無線通信システムは、基地局装置３と移動局装置４とを備え、基地局装置３はレスポンスフラグを用いず、当該ランダムレスポンスを含む残りのランダムアクセスレスポンス情報数を挿入し、該ランダムアクセスレスポンス情報数を参照することで、移動局装置は最後のランダムアクセスレスポンスかどうか判断する。
【００６８】
以下、図面を用いて第２の実施形態について詳細を示す。図９（ａ）は、基地局装置３によって下りリンク共用チャネルＰＤＳＣＨに配置されるランダムアクセスレスポンスのフォーマットの例であり、図９（ｂ）は、下りリンク制御チャネルＰＤＣＣＨに配置されるランダムアクセスレスポンスの送信を通知する情報のフォーマットの例である。図９に示すように、本実施形態におけるランダムアクセスレスポンスは、レスポンス残シグネチャ数ｍ、ランダムアクセス情報１〜ランダムアクセス情報ｎ及び巡回冗長検査ＣＲＣを含む。ランダムアクセスレスポンス残数ｍは、当該ランダムアクセスレスポンスを含む当該ランダムアクセスレスポンス以降に送信されるランダムアクセスレスポンス情報数を示す。ランダムアクセスレスポンス情報は、同期タイミングずれ情報、スケジューリング情報、セル内移動局仮識別情報Ｔｅｍｐｏｒａｌｌｙ  Ｃ−ＲＮＴＩおよび基地局装置３が受信したランダムアクセスプリアンブルのシグネチャＩＤ（またはランダムＩＤ）を含む。ここでは、１つのランダムアクセスレスポンスに配置されるランダムアクセスレスポンス情報は最大数を４個とする。尚、ランダムアクセスレスポンスに含むことのできるランダムアクセスレスポンス情報は、可変としてもよい。
【００６９】
また、下りリンク制御チャネルＰＤＣＣＨに配置されるランダムアクセスレスポンスの送信を通知する情報は、ランダムアクセス識別情報ＲＡ−ＲＮＴＩと、スケジューリング情報と、ランダムアクセスレスポンスサイズを含む。ランダムアクセス識別情報ＲＡ−ＲＮＴＩは、上述のランダムアクセスレスポンスに対応するランダムアクセスプリアンブルが送信されたランダムアクセスチャネルＲＡＣＨのリソースブロックに対応する値である。スケジューリング情報は、上述のランダムアクセスレスポンスが配置されているリソースブロックを指定する情報である。ランダムアクセスレスポンスサイズは、上述のランダムアクセスレスポンスのバイト数を表す情報である。
【００７０】
図１０は、本実施形態における競合ランダムアクセスのシーケンス例を示す図である。まず、移動局装置４は、自装置が選択したシグネチャＩＤのランダムアクセスプリアンブルをランダムアクセスチャネルＲＡＣＨに配置して送信する（Ｓｂ１）。基地局装置３は、ランダムアクセスプリアンブルを受信すると、プリアンブルから移動局装置４−基地局装置３間の同期タイミングずれを算出して同期タイミングずれ情報を生成し、Ｌ２／Ｌ３（Ｌａｙｅｒ２／Ｌａｙｅｒ３）メッセージを送信するためのスケジューリングを行い、スケジューリング情報を生成し、セル内移動局仮識別情報Ｔｅｍｐｏｒａｌｌｙ  Ｃ−ＲＮＴＩを割り当てる。
【００７１】
そして、基地局装置３は、同期タイミングずれ情報、スケジューリング情報、セル内移動局仮識別情報Ｔｅｍｐｏｒａｌｌｙ  Ｃ−ＲＮＴＩ及び対応したシグネチャＩＤを含んだランダムアクセスレスポンス情報を作成する。基地局装置３は、この動作を検出したプリアンブル数分行う。基地局装置３は、検出したプリアンブル数分のランダムアクセス情報を作成後、ランダムアクセスレスポンスを作成する。ここで１つのランダムアクセスレスポンスでの最大のランダムアクセスレスポンス情報数を超えた場合、複数のランダムアクセスレスポンスを作成する。
【００７２】
まず、基地局装置３は、ランダムアクセスレスポンスにレスポンス残シグネチャ数を設定する。各ランダムアクセスレスポンスのレスポンス残シグネチャ数ｍには、ｍ＝ｍｔ−（ｋ−１）×ｎを設定する。ただし、ｍｔは、全ランダムアクセスレスポンス情報数、ｎは、１つのランダムアクセスレスポンスで送信可能なランダムアクセスレスポンス情報数、ｋは、設定するランダムアクセスレスポンスが何番目に送信されるか示す。最後にランダムアクセスレスポンスの巡回冗長検査ＣＲＣを付加する。
【００７３】
そして、各ランダムアクセスレスポンスのデータ容量を算出し、下りリンク共用チャネルＰＤＳＣＨに割り当てるスケジューリングを行い、下りリンク制御チャネルＰＤＣＣＨにランダムアクセス識別情報ＲＡ−ＲＮＴＩとランダムアクセスレスポンスの位置を示したスケジューリング情報、ランダムアクセスレスポンスサイズを配置し、スケジューリングされた位置にランダムアクセスレスポンスを配置して、送信する。これにより、図１１（ａ）に示すように、ランダムアクセスレスポンス情報が９つで、１つのランダムアクセスレスポンスに格納可能なランダムアクセスレスポンス情報の最大数が４のときは、基地局装置３は、レスポンス残シグネチャ数が９と５と１の計３つのランダムアクセスレスポンスを生成して送信する（Ｓｂ２、Ｓｂ３、Ｓｂ４）。なお、図１１（ｂ）のように、１つのランダムアクセスレスポンスに格納可能なランダムアクセスレスポンス情報の最大数が４つで、ランダムアクセスレスポンス情報が最大数以下、例えば３つのときは、基地局装置３は、レスポンス残シグネチャ数が３のランダムアクセスレスポンス１つのみを生成した送信する。
【００７４】
移動局装置４は、ランダムアクセスプリアンブルを送信後、図１２に示すフローチャートに従い動作してランダムアクセスレスポンス処理を行う。移動局装置４は、下りリンク制御チャネルＰＤＣＣＨに配置されるランダムアクセス識別情報ＲＡ−ＲＮＴＩをモニタリングする（Ｓ２１）。移動局装置４は、自装置がランダムアクセスプリアンブルを配置したランダムアクセスチャネルＲＡＣＨに対応したランダムアクセス識別情報ＲＡ−ＲＮＴＩを検出すると、スケジューリング情報からランダムアクセスレスポンスの位置を検出し、ランダムアクセスレスポンスを解析する。まず、移動局装置４は、ランダムアクセスレスポンスの巡回冗長検査ＣＲＣチェックを行い（Ｓ２２）、正しいデータか否かを判定する。そして、循環冗長検査に失敗し、正しいデータでないと判定したときは、ステップＳ２１に戻り、ランダムアクセスプリアンブルのモニタリングを行う。
【００７５】
ステップＳ２２にて正しいデータであると判定したときは、ステップＳ２３に遷移し、移動局装置４は、ランダムアクセスレスポンス内に配置されているランダムアクセスレスポンス情報数ｋを以下のようにして算出する（Ｓ２３）。ランダムアクセスレスポンスから読み出したレスポンス残シグネチャ数をｍ、１つのランダムアクセスレスポンスで送信可能なランダムアクセスレスポンス情報数をｎとして、ｍ−ｎ≧０の場合、ランダムアクセスレスポンス情報数ｋをｎとし、ｍ−ｎ＜０の場合、ランダムアクセスレスポンス情報数ｋはｍとする。次に、移動局装置４は、ランダムアクセスレスポンス内のランダムアクセスレスポンス情報数ｋのランダムアクセスレスポンス情報を解析する。
【００７６】
移動局装置４は、この解析の際に、いずれかのランダムアクセスレスポンス情報に、自移動局装置が送信したランダムアクセスプリアンブルのシグネチャＩＤと同じシグネチャＩＤがあるかどうか判定する（Ｓ２４）。ステップＳ２４にて、シグネチャＩＤがあると判定したときは、移動局装置４は、該シグネチャＩＤを含むランダムアクセスレスポンス情報を、自移動局装置のランダムアクセスレスポンス情報として、以下のランダムアクセスレスポンス処理を行う（Ｓ２６）。まず、移動局装置４は、該ランダムアクセスレスポンス情報に格納されているセル内移動局仮識別情報Ｔｅｍｐｏｒａｌｌｙ  Ｃ−ＲＮＴＩを保存し（Ｃ−ＲＮＴＩを既に持っている移動局装置は破棄する。）、該ランダムアクセスレスポンス情報に格納されている同期タイミングずれ情報から、上りリンクの同期タイミングを補正し、送信すべきＬ２／Ｌ３メッセージを作成し、該ランダムアクセスレスポンス情報に格納されているスケジューリング情報で割り当てられたＰＵＳＣＨで作成したＬ２／Ｌ３メッセージを送信する。
【００７７】
ステップＳ２４にて、同じシグネチャＩＤがないと判定したときには、移動局装置４は、更にｍ−ｋ＞０が成り立つか否か、すなわち当該ランダムアクセスレスポンスに格納されているランダムアクセスレスポンス情報数より、レスポンス残シグネチャ数の方が小さいか否かを判定する（Ｓ２５）。このステップＳ２５の判定にて成り立つと判定したときは、移動局装置４は、ステップＳ１１に戻って、ランダムアクセスレスポンスが続くとして、再度、ランダムアクセス識別情報ＲＡ−ＲＮＴＩをモニタリングし、上記ステップＳ１１以降の処理を繰り返す。ｍ−ｋ≦０であり、ステップＳ２５の判定条件が成り立たないと判断したときは、当該ランダムアクセスレスポンスが自装置がランダムアクセスプリアンブルを配置したランダムアクセスチャネルＲＡＣＨのランダムアクセスに対する最後のランダムアクセスレスポンスであり、ランダムアクセスプリアンブルの送信に失敗したとしてランダムアクセスレスポンス受信処理を終了し、ランダムアクセスプリアンブル送信を再度行う。
【００７８】
図１３は、本実施形態における基地局装置３の構成を示す概略ブロック図である。同図において、図５の各部に対応する部分（１１、１２、１４〜２１）には同一の符号を付け、その説明を省略する。基地局装置３は、データ制御部１１、ＯＦＤＭ変調部１２、スケジューリング部２３、チャネル推定部１４、ＤＦＴ−Ｓ−ＯＦＤＭ復調部１５、制御データ抽出部１６、プリアンブル検出部１７、無線部１８を有する。スケジューリング部２３は、ＤＬスケジューリング部２１、ＵＬスケジューリング部２０、制御データ作成部２４を有する。ランダムアクセスレスポンスについては、制御データ作成部２４は、プリアンブル検出部１７がランダムアクセスプリアンブルを検出し、該プリアンブルに対応するシグネチャＩＤを受けると、該ランダムアクセスプリアンブルに対するランダムアクセスレスポンス情報と、レスポンス残シグネチャ数（すなわちランダムアクセスレスポンス情報が配置されているランダムアクセスレスポンスを含む該ランダムアクセスレスポンス以降のランダムアクセスレスポンスに配置されるランダムアクセスレスポンス情報の数を表す情報）とを含む図９に示したフォーマットのランダムアクセスレスポンスとともに、該ランダムアクセスレスポンスの送信を通知する情報を制御データとして生成し、データ制御部１１に出力する。
【００７９】
図１４は、本実施形態における移動局装置４の構成を示す概略ブロック図である。同図において、図６の各部に対応する部分（３１、３２、３４〜４４、４６）には同一の符号を付け、その説明を省略する。移動局装置４は、データ制御部３１、ＤＦＴ−Ｓ−ＯＦＤＭ変調部３２、スケジューリング部４７、ＯＦＤＭ復調部３４、チャネル推定部３５、制御データ抽出部３６、同期補正部３７、プリアンブル生成部３８、シグネチャ選択部３９、無線部４０を具備する。スケジューリング部４７は、ＵＬスケジューリング部４１、制御データ作成部４２、制御データ解析部４３、ランダムアクセスレスポンス抽出部４４、ランダムアクセスレスポンス終了検出部４８、再送処理部４６を具備する。ランダムアクセスレスポンス終了検出部４８は、自移動局装置４が送信したランダムアクセスプリアンブルに対する応答のランダムアクセスレスポンス情報の送信期間中におけるランダムアクセスレスポンス情報の送信終了を、レスポンス残シグネチャ数により検出する。
【００８０】
この様に基地局装置３がランダムアクセスレスポンスで残っているランダムアクセスレスポンス情報数を示すことで最後のランダムアクセスレスポンスを判断でき、移動局装置４にこのランダムアクセスレスポンスを送信することにより、移動局装置４は、ランダムアクセスレスポンスが最後かどうか判断できるので、ランダムアクセスプリアンブルの送信に失敗した移動局装置はランダムアクセスレスポンスの受信期間Ｔｍａ２＿ＵＥが経過するよりも早く、再ランダムアクセスを実行できる。
【００８１】
［第３の実施形態］
第１および第２の実施形態では、競合ランダムアクセスについて示したが、第３の実施形態における無線通信システムでは、基地局装置５と移動局装置６とを備え、競合ランダムアクセスと非競合ランダムアクセスのランダムアクセスレスポンスが混在する。
以下、図面を用いて第３の実施形態について詳細を示す。図１５（ａ）は、下りリンク共用チャネルＰＤＳＣＨに配置されるランダムアクセスレスポンスのフォーマット例であり、図１５（ｂ）は、下りリンク制御チャネルＰＤＣＣＨに配置されるランダムアクセスレスポンスの送信を通知する情報のフォーマット例である。図１６は、７つの競合ランダムアクセスのランダムアクセスレスポンス情報と、６つの非競合ランダムアクセスのランダムアクセスレスポンス情報とのランダムアクセスレスポンスへの格納例を示す図である。
【００８２】
ランダムアクセスレスポンスは、競合ランダムアクセスのランダムアクセスレスポンス情報のレスポンス残シグネチャ数ｍ１、非競合ランダムアクセスのランダムアクセスレスポンス情報のレスポンス残シグネチャ数ｍ２、競合ランダムアクセスのランダムアクセス情報１〜ランダムアクセス情報ｍ１、非競合ランダムアクセスのランダムアクセス情報１〜ランダムアクセス情報ｍ２及び巡回冗長検査ＣＲＣを含む。ランダムアクセスレスポンス残数ｍ１、ｍ２は、送信したランダムアクセスレスポンス以降にランダムアクセスレスポンス情報数を示す。
【００８３】
競合ランダムアクセスのランダムアクセスレスポンス情報は、同期タイミングずれ情報、スケジューリング情報、セル内移動局仮識別情報Ｔｅｍｐｏｒａｌｌｙ  Ｃ−ＲＮＴＩおよび基地局装置５が受信したランダムアクセスプリアンブルのシグネチャＩＤ（またはランダムＩＤ）を含む。非競合ランダムアクセスのランダムアクセスレスポンス情報は、同期タイミングずれ情報および基地局装置５が受信したランダムアクセスプリアンブルのシグネチャＩＤ（またはランダムＩＤ）を含む。ここでは、１つのランダムアクセスレスポンスに配置されるランダムアクセスレスポンス情報数は競合ランダムアクセスのランダムアクセスレスポンス情報を基準として最大数を４個とする（非競合ランダムアクセスのランダムアクセスレスポンス情報では８個）。尚、非競合ランダムアクセスのランダムアクセスレスポンス情報のデータサイズは、競合ランダムアクセスのランダムアクセス情報のデータサイズは、半分とする。
【００８４】
また、下りリンク制御チャネルＰＤＣＣＨに配置されるランダムアクセスレスポンスの送信を通知する情報は、ランダムアクセス識別情報ＲＡ−ＲＮＴＩと、スケジューリング情報と、ランダムアクセスレスポンスサイズを含む。ランダムアクセス識別情報ＲＡ−ＲＮＴＩは、上述のランダムアクセスレスポンスに対応するランダムアクセスプリアンブルが送信されたランダムアクセスチャネルＲＡＣＨのリソースブロックに対応する値である。スケジューリング情報は、上述のランダムアクセスレスポンスが配置されているリソースブロックを指定する情報である。ランダムアクセスレスポンスサイズは、上述のランダムアクセスレスポンスのバイト数を表す情報である。
【００８５】
基地局装置５は、ランダムアクセスプリアンブルを受信すると、プリアンブルから移動局装置６−基地局装置５間の同期タイミングずれを算出して同期タイミングずれ情報を生成し、競合ランダムアクセスのシグネチャＩＤであれば、Ｌ２／Ｌ３メッセージを送信するためのスケジューリングを行い、スケジューリング情報を生成し、セル内移動局仮識別情報Ｔｅｍｐｏｒａｌｌｙ  Ｃ−ＲＮＴＩを割り当てる。そして、同期タイミングずれ情報、スケジューリング情報、セル内移動局仮識別情報Ｔｅｍｐｏｒａｌｌｙ  Ｃ−ＲＮＴＩ及び対応したシグネチャＩＤを含んだランダムアクセスレスポンス情報を作成する。非競合ランダムアクセスのシグネチャＩＤであれば、同期タイミングずれ情報、対応したシグネチャＩＤを含んだランダムアクセスレスポンス情報を作成する。この動作を検出したプリアンブル数分行う。検出したプリアンブル数分のランダムアクセス情報を作成後、ランダムアクセスレスポンスを作成する。ここで１つのランダムアクセスレスポンスでの最大のランダムアクセスレスポンス情報数を超えた場合、複数のランダムアクセスレスポンスを作成する。
【００８６】
図１５は、競合ランダムアクセスのランダムアクセスレスポンス情報６つと、非競合ランダムアクセスのランダムアクセスレスポンス情報６つとを作成したときのランダムアクセスレスポンスを説明する図である。まず、基地局装置５は、レスポンス残シグネチャ数ｍ１、ｍ２を設定する。各ランダムアクセスレスポンスの競合ランダムアクセスのレスポンス残シグネチャ数ｍ１には、ｍｃ−（ｋ１−１）×ｎｃを設定する。ただし、ｍ１が０以下の場合、０を設定する。尚、ｍｃは、競合ランダムアクセスのランダムアクセスレスポンス情報数（ここでは「６」）、ｎｃは、１つのランダムアクセスレスポンスで送信可能な競合ランダムアクセスのランダムアクセスレスポンス情報数（ここでは、「４」）、ｋ１は、設定するランダムアクセスレスポンが何番目に送信されるか示す。
【００８７】
各ランダムアクセスレスポンスの非競合ランダムアクセスのレスポンス残シグネチャ数ｍ２は、競合ランダムアクセスのレスポンス残シグネチャ数ｍ１が０になるまで、ｍｎを設定する。それ以降は、（ｍｎ−ｑ）−（ｋ１−（ｋ２＋１））×ｎｎを設定する。ただし、ｍｎは、非競合ランダムアクセスのランダムアクセスレスポンス情報数（ここでは「６」）、ｎｎは、１つのランダムアクセスレスポンスで送信可能な非競合ランダムアクセスのランダムアクセスレスポンス情報数（ここでは「８」）、ｋ２は、競合ランダムアクセスのランダムアクセスレスポン情報が最後に挿入されたレスポンスの順番（ここでは「２」）を示す。ｑは、ｋ２番目のレスポンスに挿入された非競合ランダムアクセスのランダムアクセスレスポンス情報数（ここでは「２」）である。最後にランダムアクセスレスポンスの巡回冗長検査ＣＲＣを付加する。
【００８８】
そして、各ランダムアクセスレスポンスのデータ容量を算出し、下りリンク共用チャネルＰＤＳＣＨに割り当てるスケジューリングを行い、下りリンク制御チャネルＰＤＣＣＨにランダムアクセス識別情報ＲＡ−ＲＮＴＩとランダムアクセスレスポンスの位置を示したスケジューリング情報、ランダムアクセスレスポンスサイズを配置し、スケジューリングされた位置にランダムアクセスレスポンスを配置して、送信する。
【００８９】
移動局装置６は、ランダムアクセスプリアンブルを送信後、図１７に示すフローチャートに従い、ランダムアクセスレスポンスの受信処理を行う。まず、移動局装置６は、下りリンク制御チャネルＰＤＣＣＨに配置されるランダムアクセス識別情報ＲＡ−ＲＮＴＩをモニタリングする（Ｓ３１）。移動局装置６は、ランダムアクセスプリアンブルを送信する際に用いたランダムアクセスチャネルＲＡＣＨのリソースブロックに対応するランダムアクセス識別情報ＲＡ−ＲＮＴＩを検出すると、該ランダムアクセス識別情報ＲＡ−ＲＮＴＩとともに配置されているスケジューリング情報からランダムアクセスレスポンスの位置を検出し、ランダムアクセスレスポンスを解析する。
【００９０】
まず、移動局装置６は、ランダムアクセスレスポンスの巡回冗長検査ＣＲＣチェックを行い、ランダムアクセスレスポンスが正しいデータか判定する（Ｓ３２）。そして、この巡回冗長検査ＣＲＣチェックの結果、誤りを検出し、データが正しくないと判定したときは、移動局装置６は、ステップＳ３１に戻って、ランダムアクセス識別情報ＲＡ−ＲＮＴＩをモニタリングする。一方、ステップＳ３２の巡回冗長検査ＣＲＣチェックに成功し、正しいデータであると判定したときは、移動局装置６は、ランダムアクセスレスポンス内に配置されている競合ランダムアクセスのランダムアクセスレスポンス情報数ｓ１と非競合ランダムアクセスのランダムアクセスレスポンス情報数ｓ２とを以下のようにして算出する（Ｓ３３）。
【００９１】
競合ランダムアクセスに関するレスポンス残シグネチャ数をｍ１、ランダムアクセスレスポンスに格納可能な競合ランダムアクセスのランダムアクセスレスポンス情報数をｎｃとして、ｍ１−ｎｃ≧０の場合、競合ランダムアクセスのランダムアクセスレスポンス情報数ｓ１はｎｃ、非競合ランダムアクセスのランダムアクセスレスポンス情報数ｓ２は０である。また、非競合ランダムアクセスに関するレスポンス残シグネチャ数をｍ２、ランダムアクセスレスポンスに格納可能な非競合ランダムアクセスのランダムアクセスレスポンス情報数をｎｎとして、０＞ｍ１−ｎｃ＞−４、ｍ２−ｎｎ≧０の場合、競合ランダムアクセスのランダムアクセスレスポンス情報数ｓ１はｍ１、非競合ランダムアクセスのランダムアクセスレスポンス情報数ｓ２は（ｎｃ−ｍ１）×２である。また、ｍ１−ｎｃ≦−４、ｍ２−ｎｎ≧０の場合、競合ランダムアクセスのランダムアクセスレスポンス情報数ｓ１は０、非競合ランダムアクセスのランダムアクセスレスポンス情報数ｓ２はｎｎである。また、ｍ１−ｎｃ≦−４、ｍ２−ｎｎ≦０の場合、競合ランダムアクセスのランダムアクセスレスポンス情報数ｓ１は０、非競合ランダムアクセスのランダムアクセスレスポンス情報数ｓ２はｍ２である。
【００９２】
次に、移動局装置６は、ランダムアクセスレスポンス内のランダムアクセスレスポンス情報数ｓ１、ｓ２分のランダムアクセスレスポンス情報を解析する。移動局装置６は、これらランダムアクセスレスポンス情報各々について、自移動局装置が送信したシグネチャＩＤが含まれているかどうか判定する（Ｓ３４）。シグネチャＩＤが含まれていると判定したときは、移動局装置６は、以下のようにランダムアクセスレスポンスを処理する（Ｓ３５）。競合ランダムアクセスに対するランダムアクセスレスポンスの場合（移動局装置がシグネチャを選択した場合）、移動局装置６は、該ランダムアクセスレスポンス情報からセル内移動局仮識別情報Ｔｅｍｐｏｒａｌｌｙ  Ｃ−ＲＮＴＩを取得して保存し（Ｃ−ＲＮＴＩを既に持っている移動局装置は破棄する）、該ランダムアクセスレスポンス情報に挿入されている同期タイミングずれ情報から、上りリンクの同期タイミングを補正し、送信すべきＬ２／Ｌ３メッセージを作成し、該ランダムアクセスレスポンス情報に挿入されているスケジューリング情報で割り当てられた上りリンク共有チャネルＰＵＳＣＨで作成したＬ２／Ｌ３メッセージを送信する。ランダムアクセスレスポンス処理は、非競合ランダムアクセスに対するランダムアクセスレスポンスの場合（基地局装置からシグネチャを指定された場合）、該ランダムアクセスレスポンス情報に挿入されている同期タイミングずれ情報から、上りリンクの同期タイミングを補正し、ランダムアクセス処理を終了する。
【００９３】
一方、ステップＳ３４にてシグネチャＩＤが含まれていないと判定したときは、移動局装置６は、ｍ１−ｓ１＞０またはｍ２−ｓ２＞０が成り立つか否か判定する（Ｓ３６）。成り立つと判定したときは、ランダムアクセスレスポンスが続くので、ステップＳ３１に戻り、移動局装置６は、再度、ランダムアクセス識別情報ＲＡ−ＲＮＴＩをモニタリングし、上記を繰り返す。一方、ｍ１−ｓ１＞０またはｍ２−ｓ２＞０以外であり、ステップＳ３６にて成り立たないと判定したときは、当該ランダムアクセスレスポンスが最後であり、ランダムアクセスプリアンブルの送信に失敗したとしてランダムアクセスレスポンス受信処理を終了し、ランダムアクセスプリアンブル送信を再度行う。
【００９４】
図１８は、本実施形態における基地局装置５の構成を示す概略ブロック図である。同図において、図５の各部に対応する部分（１１、１２、１４〜２１）には同一の符号を付け、その説明を省略する。基地局装置５は、データ制御部１１、ＯＦＤＭ変調部１２、スケジューリング部２５、チャネル推定部１４、ＤＦＴ−Ｓ−ＯＦＤＭ復調部１５、制御データ抽出部１６、プリアンブル検出部１７、無線部１８を有する。スケジューリング部２５は、ＤＬスケジューリング部２１、ＵＬスケジューリング部２０、制御データ作成部２６を有する。ランダムアクセスレスポンスについては、制御データ作成部２６は、プリアンブル検出部１７がランダムアクセスプリアンブルを検出し、該プリアンブルに対応するシグネチャＩＤを受けると、該ランダムアクセスプリアンブルに対するランダムアクセスレスポンス情報と、競合ランダムアクセスのレスポンス残シグネチャ数と非競合ランダムアクセスのレスポンス残シグネチャ数（すなわちランダムアクセスレスポンス情報が配置されているランダムアクセスレスポンスを含む該ランダムアクセスレスポンス以降のランダムアクセスレスポンスに配置される競合ランダムアクセスのランダムアクセスレスポンス情報の数と非競合ランダムアクセスのランダムアクセスレスポンス情報の数とを表す情報）とを含む図１５に示したフォーマットのランダムアクセスレスポンスとともに、該ランダムアクセスレスポンスの送信を通知する情報を制御データとして生成し、データ制御部１１に出力する。
【００９５】
図１９は、本実施形態における移動局装置６の構成を示す概略ブロック図である。同図において、図６の各部に対応する部分（３１、３２、３４〜４４、４６）には同一の符号を付け、その説明を省略する。移動局装置６は、データ制御部３１、ＤＦＴ−Ｓ−ＯＦＤＭ変調部３２、スケジューリング部４９、ＯＦＤＭ復調部３４、チャネル推定部３５、制御データ抽出部３６、同期補正部３７、プリアンブル生成部３８、シグネチャ選択部３９、無線部４０を具備する。スケジューリング部４９は、ＵＬスケジューリング部４１、制御データ作成部４２、制御データ解析部４３、ランダムアクセスレスポンス抽出部４４、ランダムアクセスレスポンス終了検出部５０、再送処理部４６を具備する。ランダムアクセスレスポンス終了検出部５０は、自移動局装置４が送信したランダムアクセスプリアンブルに対する応答のランダムアクセスレスポンス情報の送信期間中におけるランダムアクセスレスポンス情報の送信終了を、競合ランダムアクセスのレスポンス残シグネチャ数と非競合ランダムアクセスのレスポンス残シグネチャ数とにより検出する。
【００９６】
この様に複数種類のランダムアクセスが混在していても、基地局装置５がランダムアクセスレスポンスで残っているランダムアクセスレスポンス情報数を示すことで最後のランダムアクセスレスポンスを判断でき、移動局装置６にこのランダムアクセスレスポンスを送信することにより、移動局装置６は、ランダムアクセスレスポンスが最後かどうか判断できるので、ランダムアクセスプリアンブルの送信に失敗した移動局装置６は、素早く、再ランダムアクセスが実行できる。
【００９７】
また、図５におけるデータ制御部１１、ＯＦＤＭ変調部１２、スケジューリング部１３、チャネル推定部１４、ＤＦＴ−Ｓ−ＯＦＤＭ復調部１５、制御データ抽出部１６、プリアンブル検出部１７、および図６におけるデータ制御部３１、ＤＦＴ−Ｓ−ＯＦＤＭ変調部３２、スケジューリング部３３、ＯＦＤＭ復調部３４、チャネル推定部３５、制御データ抽出部３６、同期補正部３７、プリアンブル生成部３８、シグネチャ選択部３９、および図１３におけるデータ制御部１１、ＯＦＤＭ変調部１２、スケジューリング部２３、チャネル推定部１４、ＤＦＴ−Ｓ−ＯＦＤＭ復調部１５、制御データ抽出部１６、プリアンブル検出部１７、および図１４におけるデータ制御部３１、ＤＦＴ−Ｓ−ＯＦＤＭ変調部３２、スケジューリング部４７、ＯＦＤＭ復調部３４、チャネル推定部３５、制御データ抽出部３６、同期補正部３７、プリアンブル生成部３８、シグネチャ選択部３９、および図１８におけるデータ制御部１１、ＯＦＤＭ変調部１２、スケジューリング部２５、チャネル推定部１４、ＤＦＴ−Ｓ−ＯＦＤＭ復調部１５、制御データ抽出部１６、プリアンブル検出部１７、および図１９におけるデータ制御部３１、ＤＦＴ−Ｓ−ＯＦＤＭ変調部３２、スケジューリング部４９、ＯＦＤＭ復調部３４、チャネル推定部３５、制御データ抽出部３６、同期補正部３７、プリアンブル生成部３８、シグネチャ選択部３９の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
【００９８】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００９９】
以上、この発明の実施形態を図面を参照して詳述してきたが、具体的な構成はこの実施形態に限られるものではなく、この発明の要旨を逸脱しない範囲の設計等も含まれる。
【産業上の利用可能性】
【０１００】
本発明は、携帯電話端末装置を移動局装置とする移動体通信システムに用いて好適であるが、これに限定されない。
【図面の簡単な説明】
【０１０１】
【図１】この発明の第１の実施形態による競合ランダムアクセスのシーケンス例を示した図である。
【図２】同実施形態におけるランダムアクセスレスポンスと、ランダムアクセスレスポンスの送信を通知する情報のフォーマット例である。
【図３】同実施形態におけるランダムアクセスレスポンス情報のランダムアクセスレスポンスへの格納例を示す図である。
【図４】同実施形態における移動局装置２のランダムアクセスレスポンスの受信処理の動作を説明するフローチャートである。
【図５】同実施形態における基地局装置１の構成を示す概略ブロック図である。
【図６】同実施形態における移動局装置２の構成を示す概略ブロック図である。
【図７】同実施形態におけるランダムアクセスレスポンスと、ランダムアクセスレスポンスの送信を通知する情報の図２とは別のフォーマット例である。
【図８】同実施形態における移動局装置２の図７のフォーマットのランダムアクセスレスポンスの受信処理の動作を説明するフローチャートである。
【図９】この発明の第２の実施形態によるランダムアクセスレスポンスと、ランダムアクセスレスポンスの送信を通知する情報のフォーマットの例である。
【図１０】同実施形態における競合ランダムアクセスのシーケンス例を示す図である。
【図１１】同実施形態におけるランダムアクセスレスポンス情報のランダムアクセスレスポンスへの格納例を示す図である。
【図１２】同実施形態における移動局装置４のランダムアクセスレスポンスの受信処理の動作を説明するフローチャートである。
【図１３】同実施形態における基地局装置３の構成を示す概略ブロック図である。
【図１４】同実施形態における移動局装置４の構成を示す概略ブロック図である
【図１５】この発明の第３の実施形態によるランダムアクセスレスポンスと、ランダムアクセスレスポンスの送信を通知する情報のフォーマット例である。
【図１６】同実施形態におけるランダムアクセスレスポンス情報のランダムアクセスレスポンスへの格納例を示す図である。
【図１７】同実施形態における移動局装置６のランダムアクセスレスポンスの受信処理の動作を説明するフローチャートである。
【図１８】同実施形態における基地局装置５の構成を示す概略ブロック図である。
【図１９】同実施形態における移動局装置６の構成を示す概略ブロック図である。
【図２０】従来のＥＵＴＲＡの上りリンクおよび下りリンクのチャネル構成を示す図である。
【図２１】従来のＥＵＴＲＡの上りリンクの無線リソース構成例を示した図である。
【図２２】従来の非同期ランダムアクセスの競合ランダムアクセスの手順例を示すシーケンス図である。
【図２３】従来の競合ランダムアクセスのランダムアクセス識別情報ＲＡ−ＲＮＴＩにて配置を通知したときのランダムアクセスレスポンスの下りリンク共用チャネルＰＤＳＣＨへの配置例である。
【図２４】従来の非同期ランダムアクセスの非競合ランダムアクセスの手順例を示すシーケンス図である。
【図２５】従来の非競合ランダムアクセスのランダムアクセス識別情報ＲＡ−ＲＮＴＩにて配置を通知したときのランダムアクセスレスポンスの下りリンク共用チャネルＰＤＳＣＨへの配置例である。
【図２６】従来の非競合ランダムアクセスのランダムアクセスレスポンス情報と競合ランダムアクセスのランダムアクセスレスポンス情報とを一つのランダムアクセスレスポンスに格納したときの下りリンク共用チャネルＰＤＳＣＨへの配置例である。
【図２７】従来の基地局装置の送信期間Ｔｍａ２＿ＮＢを説明する図である。
【符号の説明】
【０１０２】
１、３、５…基地局装置
２、４、６…移動局装置
１１…データ制御部
１２…ＯＦＤＭ変調部
１３、２３、２５…スケジューリング部
１４…チャネル推定部
１５…ＤＦＴ−Ｓ−ＯＦＤＭ復調部
１６…制御データ抽出部
１７…プリアンブル検出部
１８…無線部
２０…ＵＬスケジューリング部
２１…ＤＬスケジューリング部
２２、２４、２６…制御データ作成部
３１…データ制御部
３２…ＤＦＴ−Ｓ−ＯＦＤＭ変調部
３３、４７、４９…スケジューリング部
３４…ＯＦＤＭ復調部
３５…チャネル推定部
３６…制御データ抽出部
３７…同期補正部
３８…プリアンブル生成部
３９…シグネチャ選択部
４０…無線部
４１…ＵＬスケジューリング部
４２…制御データ作成部
４３…制御データ解析部
４４…ランダムアクセスレスポンス抽出部
４５、４８、５０…ランダムアクセスレスポンス終了検出部
４６…再送処理部
【図１】
2009081685.tif 000003
【図２】
2009081685.tif 000004
【図３】
2009081685.tif 000005
【図４】
2009081685.tif 000006
【図５】
2009081685.tif 000007
【図６】
2009081685.tif 000008
【図７】
2009081685.tif 000009
【図８】
2009081685.tif 000010
【図９】
2009081685.tif 000011
【図１０】
2009081685.tif 000012
【図１１】
2009081685.tif 000013
【図１２】
2009081685.tif 000014
【図１３】
2009081685.tif 000015
【図１４】
2009081685.tif 000016
【図１５】
2009081685.tif 000017
【図１６】
2009081685.tif 000018
【図１７】
2009081685.tif 000019
【図１８】
2009081685.tif 000020
【図１９】
2009081685.tif 000021
【図２０】
2009081685.tif 000022
【図２１】
2009081685.tif 000023
【図２２】
2009081685.tif 000024
【図２３】
2009081685.tif 000025
【図２４】
2009081685.tif 000026
【図２５】
2009081685.tif 000027
【図２６】
2009081685.tif 000028
【図２７】
2009081685.tif 000029